(57)【特許請求の範囲】
【請求項１】
希望波と混信波とが混在する放送波を受信し、前記放送波から混信波を抽出する混信波抽出装置であって、
前記受信した放送波の信号を等化し、前記等化した放送波の信号から、前記混信波の信号よりも高い受信レベルを持つ前記希望波の信号を抽出する希望波抽出部と、
前記受信した放送波に含まれる基準信号と予め設定された基準信号とを用いて、伝送路特性を算出する伝送路特性算出部と、
前記希望波抽出部により抽出された希望波の信号に、前記伝送路特性算出部により算出された伝送路特性を付加し、希望波レプリカ信号を生成する伝送路特性付加部と、
前記受信した放送波の信号から、前記伝送路特性付加部により生成された希望波レプリカ信号を減算し、前記混信波の信号を出力する希望波キャンセル部と、を備え、
前記希望波抽出部は、ＢＰＦにより前記受信した放送波のＯＦＤＭ信号からＡ階層信号を抜き出し、前記Ａ階層信号を復調し、前記復調したＡ階層信号をＦＦＴした後、等化処理を施し、シンボル硬判定により前記希望波のＡ階層信号を抽出し、前記希望波のＡ階層信号をＩＦＦＴして出力し、
前記伝送路特性算出部は、前記希望波抽出部によりＦＦＴされたＡ階層信号からＳＰ信号を抽出し、前記抽出したＳＰ信号を予め設定されたＳＰ信号で除算して伝送路特性を算出し、
前記伝送路特性付加部は、前記伝送路特性算出部により算出された伝送路特性をＩＦＦＴしてフィルタ係数を生成し、ＦＩＲフィルタにより前記フィルタ係数を用いて、前記希望波抽出部により出力された希望波のＡ階層信号から希望波レプリカ信号を生成し、
前記希望波キャンセル部は、前記希望波抽出部により復調されたＡ階層信号から、前記伝送路特性付加部により生成された希望波レプリカ信号を減算して混信波のＡ階層信号を求め、前記混信波のＡ階層信号を変調し、
さらに、前記希望波抽出部は、前記シンボル硬判定により抽出した希望波のＡ階層信号の予め決められたシンボル番号及びキャリア番号の位置に、別途生成した誤りのないＳＰ信号を付加し、ＩＦＦＴして出力する、ことを特徴とする混信波抽出装置。
【請求項２】
希望波と混信波とが混在する放送波を受信し、前記放送波から混信波を抽出する混信波抽出装置であって、
前記受信した放送波の信号を等化し、前記等化した放送波の信号から、前記混信波の信号よりも高い受信レベルを持つ前記希望波の信号を抽出する希望波抽出部と、
前記受信した放送波に含まれる基準信号と予め設定された基準信号とを用いて、伝送路特性を算出する伝送路特性算出部と、
前記希望波抽出部により抽出された希望波の信号に、前記伝送路特性算出部により算出された伝送路特性を付加し、希望波レプリカ信号を生成する伝送路特性付加部と、
前記受信した放送波の信号から、前記伝送路特性付加部により生成された希望波レプリカ信号を減算し、前記混信波の信号を出力する希望波キャンセル部と、を備え、
前記希望波抽出部は、前記受信した放送波のＯＦＤＭ信号を復調し、前記復調した信号をＦＦＴした後、等化処理を施し、シンボル硬判定により前記希望波のＡ階層信号を抽出し、前記希望波のＡ階層信号をＩＦＦＴして出力し、
前記伝送路特性算出部は、前記希望波抽出部によりＦＦＴされた信号からＳＰ信号を抽出し、前記抽出したＳＰ信号を予め設定されたＳＰ信号で除算して伝送路特性を算出し、
前記伝送路特性付加部は、前記伝送路特性算出部により算出された伝送路特性をＩＦＦＴしてフィルタ係数を生成し、ＦＩＲフィルタにより前記フィルタ係数を用いて、前記希望波抽出部により出力された希望波のＡ階層信号から希望波レプリカ信号を生成し、
前記希望波キャンセル部は、前記希望波抽出部により復調された信号から、前記伝送路特性付加部により生成された希望波レプリカ信号を減算して混信波の信号を求め、前記混信波の信号を変調し、
さらに、前記希望波抽出部は、前記シンボル硬判定により抽出した希望波のＡ階層信号の予め決められたシンボル番号及びキャリア番号の位置に、別途生成した誤りのないＳＰ信号を付加し、ＩＦＦＴして出力する、ことを特徴とする混信波抽出装置。
【請求項３】
請求項１に記載の混信波抽出装置において、
前記希望波抽出部は、アナログフィルタ処理を行うＢＰＦにより前記受信した放送波のＯＦＤＭ信号から第１のＡ階層信号を抜き出し、前記第１のＡ階層信号を復調し、デジタルフィルタ処理を行うＢＰＦにより前記復調した第１のＡ階層信号から第２のＡ階層信号を抜き出し、前記第２のＡ階層信号をＦＦＴした後、等化処理を施し、シンボル硬判定により前記希望波のＡ階層信号を抽出し、前記希望波のＡ階層信号の予め決められたシンボル番号及びキャリア番号の位置に、別途生成した誤りのないＳＰ信号を付加し、ＩＦＦＴして出力し、
前記希望波キャンセル部は、前記希望波抽出部により抜き出された第２のＡ階層信号から、前記伝送路特性付加部により生成された希望波レプリカ信号を減算して混信波のＡ階層信号を求め、前記混信波のＡ階層信号を変調する、ことを特徴とする混信波抽出装置。
【請求項４】
請求項２に記載の混信波抽出装置において、
前記希望波抽出部は、アナログフィルタ処理を行うＢＰＦにより前記受信した放送波のＯＦＤＭ信号から全帯域の第１の信号を抜き出し、前記第１の信号を復調し、デジタルフィルタ処理を行うＢＰＦにより前記復調した第１の信号から全帯域の第２の信号を抜き出し、前記第２の信号をＦＦＴした後、等化処理を施し、シンボル硬判定により前記希望波のＡ階層信号を抽出し、前記希望波のＡ階層信号の予め決められたシンボル番号及びキャリア番号の位置に、別途生成した誤りのないＳＰ信号を付加し、ＩＦＦＴして出力し、
前記希望波キャンセル部は、前記希望波抽出部により抜き出された第２の信号から、前記伝送路特性付加部により生成された希望波レプリカ信号を減算して混信波の信号を求め、前記混信波の信号を変調する、ことを特徴とする混信波抽出装置。
【請求項５】
請求項３または４に記載の混信波抽出装置において、
さらに、前記希望波抽出部により復調された請求項３の第１のＡ階層信号または請求項４の第１の信号に対し、周波数の同期再生処理を行い、周波数オフセットを求める同期再生部を備え、
前記希望波抽出部は、前記復調した請求項３の第１のＡ階層信号または請求項４の第１の信号における周波数から、前記同期再生部により求めた周波数オフセットを除去し、前記周波数オフセットを除去した信号に対して前記ＢＰＦのデジタルフィルタ処理を行う、ことを特徴とする混信波抽出装置。
【請求項６】
請求項１に記載の混信波抽出装置において、
さらに、前記希望波抽出部により復調されたＡ階層信号に対し、周波数の同期再生処理を行い、周波数オフセットを求める同期再生部を備え、
前記希望波抽出部は、アナログフィルタ処理を行うＢＰＦにより前記受信した放送波のＯＦＤＭ信号から第１のＡ階層信号を抜き出し、前記第１のＡ階層信号を復調し、前記復調した第１のＡ階層信号の周波数から、前記同期再生部により求めた周波数オフセットを除去し、デジタルフィルタ処理を行うＢＰＦにより前記周波数オフセットを除去した第１のＡ階層信号から第２のＡ階層信号を抜き出し、前記第２のＡ階層信号をＦＦＴした後、等化処理を施し、ＡＣ及びＴＭＣＣ信号とデータ信号とを分離し、前記データ信号に対し、周波数デインターリーブ、時間デインターリーブ、デマッピング、ビットデインターリーブ、デパンクチュア及び内符号復号の各処理を行い、前記内符号復号した信号に対し、内符号符号化、パンクチュア、ビットインターリーブ、マッピング、時間インターリーブ及び周波数インターリーブの各処理を行い、前記ＡＣ及びＴＭＣＣ信号に対し、シンボル硬判定により送信シンボルを得て、再変調を行い、前記周波数インターリーブの処理を行ったデータ信号、前記再変調を行ったＡＣ及びＴＭＣＣ信号、並びに予め決められた振幅及び位相を持つＳＰ及びＣＰ信号を合成して前記希望波のＡ階層信号を生成し、前記希望波のＡ階層信号をＩＦＦＴして出力し、
前記希望波キャンセル部は、前記希望波抽出部により抜き出された第２のＡ階層信号から、前記伝送路特性付加部により生成された希望波レプリカ信号を減算して混信波のＡ階層信号を求め、前記混信波のＡ階層信号を変調する、ことを特徴とする混信波抽出装置。
【請求項７】
請求項２に記載の混信波抽出装置において、
さらに、前記希望波抽出部により復調された信号に対し、周波数の同期再生処理を行い、周波数オフセットを求める同期再生部を備え、
前記希望波抽出部は、アナログフィルタ処理を行うＢＰＦにより前記受信した放送波のＯＦＤＭ信号から全帯域の第１の信号を抜き出し、前記第１の信号を復調し、前記復調した第１の信号の周波数から、前記同期再生部により求めた周波数オフセットを除去し、デジタルフィルタ処理を行うＢＰＦにより前記周波数オフセットを除去した第１の信号から全帯域の第２の信号を抜き出し、前記第２の信号をＦＦＴした後、等化処理を施し、ＡＣ及びＴＭＣＣ信号とＡ階層のデータ信号とを分離し、前記データ信号に対し、周波数デインターリーブ、時間デインターリーブ、デマッピング、ビットデインターリーブ、デパンクチュア及び内符号復号の各処理を行い、前記内符号復号した信号に対し、内符号符号化、パンクチュア、ビットインターリーブ、マッピング、時間インターリーブ及び周波数インターリーブの各処理を行い、前記ＡＣ及びＴＭＣＣ信号に対し、シンボル硬判定により送信シンボルを得て、再変調を行い、前記周波数インターリーブの処理を行ったデータ信号、前記再変調を行ったＡＣ及びＴＭＣＣ信号、並びに予め決められた振幅及び位相を持つＳＰ及びＣＰ信号を合成して前記希望波のＡ階層信号を生成し、前記希望波のＡ階層信号をＩＦＦＴして出力し、
前記希望波キャンセル部は、前記希望波抽出部により抜き出された第２の信号から、前記伝送路特性付加部により生成された希望波レプリカ信号を減算して混信波の信号を求め、前記混信波の信号を変調する、ことを特徴とする混信波抽出装置。
【請求項８】
請求項１に記載の混信波抽出装置において、
さらに、前記希望波抽出部により復調されたＡ階層信号に対し、周波数の同期再生処理を行い、周波数オフセットを求める同期再生部を備え、
前記希望波抽出部は、アナログフィルタ処理を行うＢＰＦにより前記受信した放送波のＯＦＤＭ信号から第１のＡ階層信号を抜き出し、前記第１のＡ階層信号を復調し、前記復調した第１のＡ階層信号の周波数から、前記同期再生部により求めた周波数オフセットを除去し、デジタルフィルタ処理を行うＢＰＦにより前記周波数オフセットを除去した第１のＡ階層信号から第２のＡ階層信号を抜き出し、前記第２のＡ階層信号をＦＦＴした後、等化処理を施し、ＡＣ及びＴＭＣＣ信号とデータ信号とを分離し、前記データ信号に対し、周波数デインターリーブ、時間デインターリーブ、デマッピング、ビットデインターリーブ、デパンクチュア及び内符号復号の各処理を行い、前記内符号復号した信号に対し、バイトデインターリーブ、エネルギー逆拡散、外符号復号、外符号符号化、エネルギー拡散及びバイトインターリーブの各処理を行い、バイトインターリーブした信号に対し、内符号符号化、パンクチュア、ビットインターリーブ、マッピング、時間インターリーブ及び周波数インターリーブの各処理を行い、前記ＡＣ及びＴＭＣＣ信号に対し、シンボル硬判定により送信シンボルを得て、再変調を行い、前記周波数インターリーブの処理を行ったデータ信号、前記再変調を行ったＡＣ及びＴＭＣＣ信号、並びに予め決められた振幅及び位相を持つＳＰ及びＣＰ信号を合成して前記希望波のＡ階層信号を生成し、前記希望波のＡ階層信号をＩＦＦＴして出力し、
前記希望波キャンセル部は、前記希望波抽出部により抜き出された第２のＡ階層信号から、前記伝送路特性付加部により生成された希望波レプリカ信号を減算して混信波のＡ階層信号を求め、前記混信波のＡ階層信号を変調する、ことを特徴とする混信波抽出装置。
【請求項９】
請求項２に記載の混信波抽出装置において、
さらに、前記希望波抽出部により復調された信号に対し、周波数の同期再生処理を行い、周波数オフセットを求める同期再生部を備え、
前記希望波抽出部は、アナログフィルタ処理を行うＢＰＦにより前記受信した放送波のＯＦＤＭ信号から全帯域の第１の信号を抜き出し、前記第１の信号を復調し、前記復調した第１の信号の周波数から、前記同期再生部により求めた周波数オフセットを除去し、デジタルフィルタ処理を行うＢＰＦにより前記周波数オフセットを除去した第１の信号から全帯域の第２の信号を抜き出し、前記第２の信号をＦＦＴした後、等化処理を施し、ＡＣ及びＴＭＣＣ信号とＡ階層のデータ信号とを分離し、前記データ信号に対し、周波数デインターリーブ、時間デインターリーブ、デマッピング、ビットデインターリーブ、デパンクチュア及び内符号復号の各処理を行い、前記内符号復号した信号に対し、バイトデインターリーブ、エネルギー逆拡散、外符号復号、外符号符号化、エネルギー拡散及びバイトインターリーブの各処理を行い、バイトインターリーブした信号に対し、内符号符号化、パンクチュア、ビットインターリーブ、マッピング、時間インターリーブ及び周波数インターリーブの各処理を行い、前記ＡＣ及びＴＭＣＣ信号に対し、シンボル硬判定により送信シンボルを得て、再変調を行い、前記周波数インターリーブの処理を行ったデータ信号、前記再変調を行ったＡＣ及びＴＭＣＣ信号、並びに予め決められた振幅及び位相を持つＳＰ及びＣＰ信号を合成して前記希望波のＡ階層信号を生成し、前記希望波のＡ階層信号をＩＦＦＴして出力し、
前記希望波キャンセル部は、前記希望波抽出部により抜き出された第２の信号から、前記伝送路特性付加部により生成された希望波レプリカ信号を減算して混信波の信号を求め、前記混信波の信号を変調する、ことを特徴とする混信波抽出装置。
【請求項１０】
コンピュータを、請求項１から９までのいずれか一項に記載の混信波抽出装置として機能させるための混信波抽出プログラム。
【発明の詳細な説明】
【技術分野】
【０００１】
本発明は、他の放送波の混信を受けている放送波から、希望波の放送波を停波させることなく、混信波を抽出する技術に関する。
【背景技術】
【０００２】
地上デジタル放送の伝送方式は、ＡＲＩＢ  ＳＴＤ−Ｂ３１（非特許文献１）の標準規格に規定されており、この伝送方式に従った地上デジタル放送のサービスが提供されている。しかしながら、地上デジタル放送のサービスの提供にあたり、地上デジタル放送の中継局から伝送される放送波が希望波に混信する場合がある。
【０００３】
具体的には、地上デジタル放送の放送メディア（ＮＨＫ総合・仙台、ＮＨＫ教育・仙台、仙台放送等）の中継局から送信された地上デジタル放送波を受信するデジタル放送受信装置は、異常伝搬によって、他のエリアの中継局から送信された地上デジタル放送波により、混信の影響を受ける場合がある。この混信問題を解決するために、ユーザーである放送事業者は、受信調査を詳細に行い、混信波を送信している混信局の特定を行う。
【０００４】
しかしながら、通常のデジタル放送受信装置、またはネットワークＩＤ推定機能を持つデジタル放送受信装置を用いたとしても、混信局を特定することができない。これは、混信波の受信レベルが希望波の受信レベルよりも低いことが通常であり、このような状況下では、通常のデジタル放送受信装置、またはネットワークＩＤ推定機能を持つデジタル放送受信装置は、受信レベルの高い希望波の復調を行ってしまうからである。
【０００５】
そのため、放送事業者は、混信局を特定するための調査を実施するため、深夜時間帯に放送休止時間帯を一時的に設け、その数時間の短い時間帯において、希望波である地上デジタル放送波を送信している送信局（親局）の送信装置を停止する。つまり、放送事業者は、希望波を停波させ、希望波が存在しない状態で混信波を調査することにより、混信局を特定する。
【０００６】
この場合、希望波と混信波とが混在する環境であっても、受信信号から希望波の信号を除去し、混信波の信号のみを高精度に抽出することができれば、放送事業者は、抽出した混信波を調査することにより、混信局を特定することができる。つまり、放送事業者は、送信局の送信装置を停止することなく、いかなる時間帯においても、混信波を調査し、混信局を特定することができる。
【０００７】
したがって、混信局を特定するために、受信信号から希望波の信号を除去し、混信波の信号のみを高精度に抽出する装置が所望されていた。しかしながら、従来、希望波と混信波とが混在する環境において、受信信号から混信波の信号を除去することにより、希望波の信号を高精度に抽出する装置は知られているが（例えば、特許文献１を参照）、受信信号から希望波の信号を除去する装置は存在しなかった。
【先行技術文献】
【特許文献】
【０００８】
【特許文献１】特開２０００−１７５０７９号公報
【非特許文献】
【０００９】
【非特許文献１】ＡＲＩＢ ＳＴＤ−Ｂ３１、「地上デジタルテレビジョン放送の伝送方式」
【発明の概要】
【発明が解決しようとする課題】
【００１０】
前述のとおり、送信局の送信装置を停止することなく、いかなる時間帯においても混信局を特定するために、受信信号から希望波の信号を除去し、混信波の信号のみを高精度に抽出する装置が所望されている。ここで、特許文献１の装置のように、受信信号から混信波の信号を除去し、希望波の信号のみを抽出する装置が既知であるから、従来の信号除去技術を用いることにより、所望の装置を構成することが想定される。
【００１１】
例えば、従来の信号除去技術として、２つの受信アンテナでアンテナアレーを構成し、除去したい到来波方向に受信アンテナ指向性のヌルを形成し、除去したい電波の信号電力を抑圧する手法がある。しかし、そもそも混信波の到来方向は一定ではなく、かつ正体が不明であることが多く、受信アンテナの主指向方向を容易に設定することが難しい。したがって、この手法は、受信信号から混信波の信号のみを高精度に抽出するために有効であるとは言えない。
【００１２】
また、２つ以上のアレーアンテナを用いてアダプティブアレイ技術を適用した干渉除去手法を用いることも考えられる。しかし、この手法では、干渉除去の対象となる信号は、希望波よりも受信レベルの低い混信波であり、混信波が除去される。つまり、この手法は、混信波より受信レベルの高い希望波を除去する目的（所望の装置は、混信波よりも受信レベルの高い希望波を除去し、混信波のみを抽出するものである。）に適用できない。したがって、この手法は、受信信号から混信波の信号のみを高精度に抽出するために用いることができない。
【００１３】
そこで、本発明は、かかる課題を解決するためになされたものであり、その目的は、希望波と混信波とが混在した放送波から希望波の信号を除去し、混信波の信号を高精度に抽出可能な混信波抽出装置を提供することにある。
【課題を解決するための手段】
【００１４】
前記課題を解決するため、請求項１の発明は、希望波と混信波とが混在する放送波を受信し、前記放送波から混信波を抽出する混信波抽出装置であって、前記受信した放送波の信号を等化し、前記等化した放送波の信号から、前記混信波の信号よりも高い受信レベルを持つ前記希望波の信号を抽出する希望波抽出部と、前記受信した放送波に含まれる基準信号と予め設定された基準信号とを用いて、伝送路特性を算出する伝送路特性算出部と、前記希望波抽出部により抽出された希望波の信号に、前記伝送路特性算出部により算出された伝送路特性を付加し、希望波レプリカ信号を生成する伝送路特性付加部と、前記受信した放送波の信号から、前記伝送路特性付加部により生成された希望波レプリカ信号を減算し、前記混信波の信号を出力する希望波キャンセル部と、を備え、前記希望波抽出部が、ＢＰＦにより前記受信した放送波のＯＦＤＭ信号からＡ階層信号を抜き出し、前記Ａ階層信号を復調し、前記復調したＡ階層信号をＦＦＴした後、等化処理を施し、シンボル硬判定により前記希望波のＡ階層信号を抽出し、前記希望波のＡ階層信号をＩＦＦＴして出力し、前記伝送路特性算出部が、前記希望波抽出部によりＦＦＴされたＡ階層信号からＳＰ信号を抽出し、前記抽出したＳＰ信号を予め設定されたＳＰ信号で除算して伝送路特性を算出し、前記伝送路特性付加部が、前記伝送路特性算出部により算出された伝送路特性をＩＦＦＴしてフィルタ係数を生成し、ＦＩＲフィルタにより前記フィルタ係数を用いて、前記希望波抽出部により出力された希望波のＡ階層信号から希望波レプリカ信号を生成し、前記希望波キャンセル部が、前記希望波抽出部により復調されたＡ階層信号から、前記伝送路特性付加部により生成された希望波レプリカ信号を減算して混信波のＡ階層信号を求め、前記混信波のＡ階層信号を変調し、さらに、前記希望波抽出部が、前記シンボル硬判定により抽出した希望波のＡ階層信号の予め決められたシンボル番号及びキャリア番号の位置に、別途生成した誤りのないＳＰ信号を付加し、ＩＦＦＴして出力する、ことを特徴とする。
【００１５】
また、請求項２の発明は、希望波と混信波とが混在する放送波を受信し、前記放送波から混信波を抽出する混信波抽出装置であって、前記受信した放送波の信号を等化し、前記等化した放送波の信号から、前記混信波の信号よりも高い受信レベルを持つ前記希望波の信号を抽出する希望波抽出部と、前記受信した放送波に含まれる基準信号と予め設定された基準信号とを用いて、伝送路特性を算出する伝送路特性算出部と、前記希望波抽出部により抽出された希望波の信号に、前記伝送路特性算出部により算出された伝送路特性を付加し、希望波レプリカ信号を生成する伝送路特性付加部と、前記受信した放送波の信号から、前記伝送路特性付加部により生成された希望波レプリカ信号を減算し、前記混信波の信号を出力する希望波キャンセル部と、を備え、前記希望波抽出部が、前記受信した放送波のＯＦＤＭ信号を復調し、前記復調した信号をＦＦＴした後、等化処理を施し、シンボル硬判定により前記希望波のＡ階層信号を抽出し、前記希望波のＡ階層信号をＩＦＦＴして出力し、前記伝送路特性算出部が、前記希望波抽出部によりＦＦＴされた信号からＳＰ信号を抽出し、前記抽出したＳＰ信号を予め設定されたＳＰ信号で除算して伝送路特性を算出し、前記伝送路特性付加部が、前記伝送路特性算出部により算出された伝送路特性をＩＦＦＴしてフィルタ係数を生成し、ＦＩＲフィルタにより前記フィルタ係数を用いて、前記希望波抽出部により出力された希望波のＡ階層信号から希望波レプリカ信号を生成し、前記希望波キャンセル部が、前記希望波抽出部により復調された信号から、前記伝送路特性付加部により生成された希望波レプリカ信号を減算して混信波の信号を求め、前記混信波の信号を変調し、さらに、前記希望波抽出部が、前記シンボル硬判定により抽出した希望波のＡ階層信号の予め決められたシンボル番号及びキャリア番号の位置に、別途生成した誤りのないＳＰ信号を付加し、ＩＦＦＴして出力する、ことを特徴とする。
【００１６】
また、請求項３の発明は、請求項１に記載の混信波抽出装置において、前記希望波抽出部が、アナログフィルタ処理を行うＢＰＦにより前記受信した放送波のＯＦＤＭ信号から第１のＡ階層信号を抜き出し、前記第１のＡ階層信号を復調し、デジタルフィルタ処理を行うＢＰＦにより前記復調した第１のＡ階層信号から第２のＡ階層信号を抜き出し、前記第２のＡ階層信号をＦＦＴした後、等化処理を施し、シンボル硬判定により前記希望波のＡ階層信号を抽出し、前記希望波のＡ階層信号の予め決められたシンボル番号及びキャリア番号の位置に、別途生成した誤りのないＳＰ信号を付加し、ＩＦＦＴして出力し、前記希望波キャンセル部が、前記希望波抽出部により抜き出された第２のＡ階層信号から、前記伝送路特性付加部により生成された希望波レプリカ信号を減算して混信波のＡ階層信号を求め、前記混信波のＡ階層信号を変調する、ことを特徴とする。
【００１７】
また、請求項４の発明は、請求項２に記載の混信波抽出装置において、前記希望波抽出部が、アナログフィルタ処理を行うＢＰＦにより前記受信した放送波のＯＦＤＭ信号から全帯域の第１の信号を抜き出し、前記第１の信号を復調し、デジタルフィルタ処理を行うＢＰＦにより前記復調した第１の信号から全帯域の第２の信号を抜き出し、前記第２の信号をＦＦＴした後、等化処理を施し、シンボル硬判定により前記希望波のＡ階層信号を抽出し、前記希望波のＡ階層信号の予め決められたシンボル番号及びキャリア番号の位置に、別途生成した誤りのないＳＰ信号を付加し、ＩＦＦＴして出力し、前記希望波キャンセル部が、前記希望波抽出部により抜き出された第２の信号から、前記伝送路特性付加部により生成された希望波レプリカ信号を減算して混信波の信号を求め、前記混信波の信号を変調する、ことを特徴とする。
【００１８】
また、請求項５の発明は、請求項３または４に記載の混信波抽出装置において、さらに、前記希望波抽出部により復調された請求項３の第１のＡ階層信号または請求項４の第１の信号に対し、周波数の同期再生処理を行い、周波数オフセットを求める同期再生部を備え、前記希望波抽出部が、前記復調した請求項３の第１のＡ階層信号または請求項４の第１の信号における周波数から、前記同期再生部により求めた周波数オフセットを除去し、前記周波数オフセットを除去した信号に対して前記ＢＰＦのデジタルフィルタ処理を行う、ことを特徴とする。
【００１９】
また、請求項６の発明は、請求項１に記載の混信波抽出装置において、さらに、前記希望波抽出部により復調されたＡ階層信号に対し、周波数の同期再生処理を行い、周波数オフセットを求める同期再生部を備え、前記希望波抽出部が、アナログフィルタ処理を行うＢＰＦにより前記受信した放送波のＯＦＤＭ信号から第１のＡ階層信号を抜き出し、前記第１のＡ階層信号を復調し、前記復調した第１のＡ階層信号の周波数から、前記同期再生部により求めた周波数オフセットを除去し、デジタルフィルタ処理を行うＢＰＦにより前記周波数オフセットを除去した第１のＡ階層信号から第２のＡ階層信号を抜き出し、前記第２のＡ階層信号をＦＦＴした後、等化処理を施し、ＡＣ及びＴＭＣＣ信号とデータ信号とを分離し、前記データ信号に対し、周波数デインターリーブ、時間デインターリーブ、デマッピング、ビットデインターリーブ、デパンクチュア及び内符号復号の各処理を行い、前記内符号復号した信号に対し、内符号符号化、パンクチュア、ビットインターリーブ、マッピング、時間インターリーブ及び周波数インターリーブの各処理を行い、前記ＡＣ及びＴＭＣＣ信号に対し、シンボル硬判定により送信シンボルを得て、再変調を行い、前記周波数インターリーブの処理を行ったデータ信号、前記再変調を行ったＡＣ及びＴＭＣＣ信号、並びに予め決められた振幅及び位相を持つＳＰ及びＣＰ信号を合成して前記希望波のＡ階層信号を生成し、前記希望波のＡ階層信号をＩＦＦＴして出力し、前記希望波キャンセル部が、前記希望波抽出部により抜き出された第２のＡ階層信号から、前記伝送路特性付加部により生成された希望波レプリカ信号を減算して混信波のＡ階層信号を求め、前記混信波のＡ階層信号を変調する、ことを特徴とする。
【００２０】
また、請求項７の発明は、請求項２に記載の混信波抽出装置において、さらに、前記希望波抽出部により復調された信号に対し、周波数の同期再生処理を行い、周波数オフセットを求める同期再生部を備え、前記希望波抽出部が、アナログフィルタ処理を行うＢＰＦにより前記受信した放送波のＯＦＤＭ信号から全帯域の第１の信号を抜き出し、前記第１の信号を復調し、前記復調した第１の信号の周波数から、前記同期再生部により求めた周波数オフセットを除去し、デジタルフィルタ処理を行うＢＰＦにより前記周波数オフセットを除去した第１の信号から全帯域の第２の信号を抜き出し、前記第２の信号をＦＦＴした後、等化処理を施し、ＡＣ及びＴＭＣＣ信号とＡ階層のデータ信号とを分離し、前記データ信号に対し、周波数デインターリーブ、時間デインターリーブ、デマッピング、ビットデインターリーブ、デパンクチュア及び内符号復号の各処理を行い、前記内符号復号した信号に対し、内符号符号化、パンクチュア、ビットインターリーブ、マッピング、時間インターリーブ及び周波数インターリーブの各処理を行い、前記ＡＣ及びＴＭＣＣ信号に対し、シンボル硬判定により送信シンボルを得て、再変調を行い、前記周波数インターリーブの処理を行ったデータ信号、前記再変調を行ったＡＣ及びＴＭＣＣ信号、並びに予め決められた振幅及び位相を持つＳＰ及びＣＰ信号を合成して前記希望波のＡ階層信号を生成し、前記希望波のＡ階層信号をＩＦＦＴして出力し、前記希望波キャンセル部が、前記希望波抽出部により抜き出された第２の信号から、前記伝送路特性付加部により生成された希望波レプリカ信号を減算して混信波の信号を求め、前記混信波の信号を変調する、ことを特徴とする。
【００２１】
また、請求項８の発明は、請求項１に記載の混信波抽出装置において、さらに、前記希望波抽出部により復調されたＡ階層信号に対し、周波数の同期再生処理を行い、周波数オフセットを求める同期再生部を備え、前記希望波抽出部が、アナログフィルタ処理を行うＢＰＦにより前記受信した放送波のＯＦＤＭ信号から第１のＡ階層信号を抜き出し、前記第１のＡ階層信号を復調し、前記復調した第１のＡ階層信号の周波数から、前記同期再生部により求めた周波数オフセットを除去し、デジタルフィルタ処理を行うＢＰＦにより前記周波数オフセットを除去した第１のＡ階層信号から第２のＡ階層信号を抜き出し、前記第２のＡ階層信号をＦＦＴした後、等化処理を施し、ＡＣ及びＴＭＣＣ信号とデータ信号とを分離し、前記データ信号に対し、周波数デインターリーブ、時間デインターリーブ、デマッピング、ビットデインターリーブ、デパンクチュア及び内符号復号の各処理を行い、前記内符号復号した信号に対し、バイトデインターリーブ、エネルギー逆拡散、外符号復号、外符号符号化、エネルギー拡散及びバイトインターリーブの各処理を行い、バイトインターリーブした信号に対し、内符号符号化、パンクチュア、ビットインターリーブ、マッピング、時間インターリーブ及び周波数インターリーブの各処理を行い、前記ＡＣ及びＴＭＣＣ信号に対し、シンボル硬判定により送信シンボルを得て、再変調を行い、前記周波数インターリーブの処理を行ったデータ信号、前記再変調を行ったＡＣ及びＴＭＣＣ信号、並びに予め決められた振幅及び位相を持つＳＰ及びＣＰ信号を合成して前記希望波のＡ階層信号を生成し、前記希望波のＡ階層信号をＩＦＦＴして出力し、前記希望波キャンセル部が、前記希望波抽出部により抜き出された第２のＡ階層信号から、前記伝送路特性付加部により生成された希望波レプリカ信号を減算して混信波のＡ階層信号を求め、前記混信波のＡ階層信号を変調する、ことを特徴とする。
【００２２】
また、請求項９の発明は、請求項２に記載の混信波抽出装置において、さらに、前記希望波抽出部により復調された信号に対し、周波数の同期再生処理を行い、周波数オフセットを求める同期再生部を備え、前記希望波抽出部が、アナログフィルタ処理を行うＢＰＦにより前記受信した放送波のＯＦＤＭ信号から全帯域の第１の信号を抜き出し、前記第１の信号を復調し、前記復調した第１の信号の周波数から、前記同期再生部により求めた周波数オフセットを除去し、デジタルフィルタ処理を行うＢＰＦにより前記周波数オフセットを除去した第１の信号から全帯域の第２の信号を抜き出し、前記第２の信号をＦＦＴした後、等化処理を施し、ＡＣ及びＴＭＣＣ信号とＡ階層のデータ信号とを分離し、前記データ信号に対し、周波数デインターリーブ、時間デインターリーブ、デマッピング、ビットデインターリーブ、デパンクチュア及び内符号復号の各処理を行い、前記内符号復号した信号に対し、バイトデインターリーブ、エネルギー逆拡散、外符号復号、外符号符号化、エネルギー拡散及びバイトインターリーブの各処理を行い、バイトインターリーブした信号に対し、内符号符号化、パンクチュア、ビットインターリーブ、マッピング、時間インターリーブ及び周波数インターリーブの各処理を行い、前記ＡＣ及びＴＭＣＣ信号に対し、シンボル硬判定により送信シンボルを得て、再変調を行い、前記周波数インターリーブの処理を行ったデータ信号、前記再変調を行ったＡＣ及びＴＭＣＣ信号、並びに予め決められた振幅及び位相を持つＳＰ及びＣＰ信号を合成して前記希望波のＡ階層信号を生成し、前記希望波のＡ階層信号をＩＦＦＴして出力し、前記希望波キャンセル部が、前記希望波抽出部により抜き出された第２の信号から、前記伝送路特性付加部により生成された希望波レプリカ信号を減算して混信波の信号を求め、前記混信波の信号を変調する、ことを特徴とする。
【００２３】
また、請求項１０の発明は、コンピュータを、請求項１から９までのいずれか一項に記載の混信波抽出装置として機能させるための混信波抽出プログラムにある。
【発明の効果】
【００２６】
以上のように、本発明によれば、希望波と混信波とが混在した放送波から希望波の信号を除去し、混信波の信号を高精度に抽出することが可能となる。したがって、送信局の送信装置を停止して希望波を停波させることなく、混信波を抽出でき、抽出した混信波を調査することができるから、放送事業者の作業負荷を低減することが可能となる。
【図面の簡単な説明】
【００２７】
【図１】本発明の実施形態による混信波抽出装置の概略構成を示すブロック図である。
【図２】本発明の実施形態による第１（実施例１）の混信波抽出装置の構成を示すブロック図である。
【図３】本発明の実施形態による第２（実施例２）の混信波抽出装置の構成を示すブロック図である。
【図４】本発明の実施形態による第３（実施例３）の混信波抽出装置の構成を示すブロック図である。
【図５】本発明の実施形態による第４（実施例４）の混信波抽出装置の構成を示すブロック図である。
【図６】ＡＦＣ部の構成を示すブロック図である。
【図７】周波数オフセットが存在する場合の受信ＣＮ比に対するシンボル誤り率の特性を示す図である。
【図８】正規化周波数オフセットに対するシンボル誤り率を示す図である。
【図９】本発明の実施形態による第５（実施例５）の混信波抽出装置の構成を示すブロック図である。
【図１０】本発明の実施形態による第６（実施例６）の混信波抽出装置の構成を示すブロック図である。
【発明を実施するための形態】
【００２８】
以下、本発明を実施するための形態について図面を参照して説明する。尚、以下の説明では、ＩＳＤＢ（Integrated Services Digital Broadcasting：統合デジタル放送サービス）による地上デジタル放送波を対象にし、各構成部の処理において必要なパラメータは、非特許文献１のＡＲＩＢ ＳＴＤ−Ｂ３１の規定に順ずるものとする。
【００２９】
まず、本発明の実施形態による混信波抽出装置の概略について説明する。図１は、混信波抽出装置１の概略構成を示すブロック図である。この混信波抽出装置１は、希望波抽出部１０、伝送路特性算出部１１、伝送路特性付加部１２、遅延部１３及び希望波キャンセル部１４を備えている。
【００３０】
混信波抽出装置１は、送信局（親局）からの希望波（親局波）と混信局からの混信波とが混在した信号を受信し、この受信信号から希望波信号を抽出して希望波レプリカ信号を生成し、受信信号から希望波レプリカ信号を減算することで希望波信号をキャンセルし、混信波信号を抽出する。
【００３１】
希望波抽出部１０は、希望波と混信波とが混在した受信信号を入力し、受信信号を、受信信号に含まれる希望波信号の伝送路歪みが解消されるように等化し、希望波の受信レベルが混信波の受信レベルよりも高いことを利用して、前記等化後の受信信号から希望波信号のみを抽出し、前記抽出した希望波信号を伝送路特性付加部１２に出力する。
【００３２】
伝送路特性算出部１１は、希望波と混信波とが混在した受信信号を入力し、受信信号と予め設定された基準信号（送信時における変調内容が既知の信号であり、パイロット信号（ＳＰ信号）とも呼ぶ。）とを用いて伝送路特性を算出し、得られた伝送路特性を伝送路特性付加部１２に出力する。
【００３３】
伝送路特性付加部１２は、希望波抽出部１０から希望波信号を入力し、伝送路特性算出部１１から伝送路特性を入力し、希望波信号に伝送路特性を付加し、希望波レプリカ信号を生成し、希望波レプリカ信号を希望波キャンセル部１４に出力する。ここで、希望波レプリカ信号は、混信波抽出装置１により受信された希望波と混信波とが混在した受信信号に含まれる希望波成分のみの信号である。
【００３４】
遅延部１３は、希望波と混信波とが混在した受信信号を入力し、受信信号に対し、希望波抽出部１０、伝送路特性算出部１１及び伝送路特性付加部１２により希望波レプリカ信号が生成される処理時間分の遅延を加え、遅延した受信信号を希望波キャンセル部１４に出力する。これにより、希望波キャンセル部１４において、希望波と混信波とが混在した受信信号から、希望波レプリカ信号を減算するタイミングを合わせることができる。
【００３５】
希望波キャンセル部１４は、伝送路特性付加部１２から希望波レプリカ信号を入力し、遅延部１３から遅延した受信信号を入力し、受信信号から希望波レプリカ信号を減算し、混信波成分のみの信号を出力する。これにより、希望波と混信波とが混在した受信信号から希望波信号のみが除去され、混信波信号が抽出される。
【００３６】
以下、図１の混信波抽出装置１を具体化した装置を実施例１〜６に示し、実施例１〜６のそれぞれについて詳細に説明する。
【実施例１】
【００３７】
まず、実施例１の混信波抽出装置について説明する。図２は、実施例１の混信波抽出装置の構成を示すブロック図である。この混信波抽出装置１−１は、ＢＰＦ（Ｂａｎｄ  Ｐａｓｓ  Ｆｉｌｔｅｒ：帯域通過フィルタ）２１、Ａ／Ｄ変換部２２、直交復調部（ＱＤＥＭ：Ｑｕａｄｒａｔｕｒｅ  ＤＥＭｏｄｕｌａｔｏｒ）２３、同期再生部２４、窓処理部２５、遅延部２６、ＦＦＴ（Ｆａｓｔ  Ｆｏｕｒｉｅｒ  Ｔｒａｎｓｆｏｒｍ：高速フーリエ変換）部２７、ＳＰ信号（Ｓｃａｔｔｅｒｄ  Ｐｉｌｏｔ：スキャッタードパイロット）抽出部２８、伝送路特性算出部２９、等化部３０、フィルタ係数生成部３１、シンボル判定部３２、再変調部３３、ＩＦＦＴ（Ｉｎｖｅｒｓｅ  Ｆａｓｔ  Ｆｏｕｒｉｅｒ  Ｔｒａｎｓｆｏｒｍ：逆高速フーリエ変換）部３４、ＧＩ（Ｇｕａｒｄ  Ｉｎｔｅｒｖａｌ：ガードインターバル）付加部３５、ＦＩＲ（Ｆｉｎｉｔｅ  Ｉｍｐｕｌｓｅ  Ｒｅｓｐｏｎｓｅ：有限インパルス応答）フィルタ部３６、減算部３７、直交変調部（ＱＭＯＤ：Ｑｕａｄｒａｔｕｒｅ  ＭＯＤｕｌａｔｏｒ）３８、Ｄ／Ａ変換部３９及びＢＰＦ４０を備えている。尚、直交復調部２３から直交変調部３８までの間の信号処理は、全て複素信号処理であるため、ブロック図上は単一の線路で信号経路が描かれているが、実際には実部信号及び虚部信号の両方による信号処理が行われている。
【００３８】
混信波抽出装置１−１は、伝送方式にＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：直交周波数分割多重）を採用しているＩＳＤＢ−Ｔ方式の他の地上デジタル放送波の混信の影響を受けている希望波の地上デジタル放送波を受信し、受信信号をＩＦ（Ｉｎｔｅｒｍｅｄｉａｔｅ  Ｆｒｅｑｕｅｎｃｙ：中間周波数）信号に変換する。そして、混信波抽出装置１−１は、ＩＦ信号から、希望される地上デジタル放送波のＡ階層で伝送される携帯受信用の変調波信号（Ａ階層信号）を抜き出し、抜き出したＡ階層信号に対して等化及びシンボル判定を行って希望波信号を抽出し、伝送路特性を付加して、レプリカ（複製）信号を生成し、それを混信波が重畳されている原信号（ＩＦ信号）から減算し、減算結果である混信波信号を出力する。これにより、希望波の受信レベルが混信波の受信レベルよりも高いことを利用して、希望波のＡ階層信号のレプリカ信号を生成し、受信信号から減算することで希望波信号のみを除去することができる。この結果、希望波の信号スペクトルのみが消失し、ＩＳＤＢ−Ｔ混信波のＡ階層で伝送される携帯受信用の信号波（混信波）を受信及び観察することが可能となる。
【００３９】
ＢＰＦ２１は、希望波と混信波とが混在したＩＦ信号を入力し、ＩＦ信号から、中心周波数を基準にした所定の周波数範囲のＡ階層信号を抜き出す。ＢＰＦ２１は、例えばＳＡＷ（Ｓｕｒｆａｃｅ  Ａｃｏｕｓｔｉｃ  Ｗａｖｅ：弾性表面波）フィルタにより構成される。ＢＰＦ２１により抜き出されたＡ階層信号は、希望波に混信波が重畳した状態の信号である。
【００４０】
Ａ／Ｄ変換部２２は、ＢＰＦ２１により抜き出されたＡ階層信号に対し、アナログ信号からデジタル信号への変換を行い、サンプリング及びデジタル化したＡ階層信号を生成する。これにより、後段の直交復調部２３からＤ／Ａ変換部３９までは、デジタル信号に対する処理が行われる。
【００４１】
直交復調部２３は、Ａ／Ｄ変換部２２によりサンプリング及びデジタル化されたＡ階層信号を直交復調し、等価低域帯の複素ＯＦＤＭ信号に変換する。
【００４２】
同期再生部２４は、直交復調部２３により生成された複素ＯＦＤＭ信号の同期を再生する。具体的には、同期再生部２４は、ガードインターバル相関波形からシンボルタイミングを検出して再生し、シンボルクロック、ＦＦＴクロック、ＦＦＴウィンドウタイミング、スキャッタードパイロットの４シンボルシーケンスのタイミング等の同期信号を再生する。再生した各種のタイミング信号は、それらを必要とする本混信波抽出装置１−１の各部に供給される。また、同期再生部２４は、ガードインターバル相関波形より複素ＯＦＤＭ信号の周波数偏差を検出し、周波数オフセットデータとして出力する。ガードインターバル相関を利用したこれらＯＦＤＭ信号の同期再生に関しては、既知の技術であり、詳しい説明は省略する。
【００４３】
窓処理部２５は、同期再生部２４により再生されたシンボルタイミングに基づいて、直交復調部２３により生成された複素ＯＦＤＭ信号からＧＩを除去し、有効シンボル期間の信号を抽出する。これにより、後段のＦＦＴ部２７において、高速フーリエ変換する範囲が特定される。
【００４４】
遅延部２６は、直交復調部２３により生成された複素ＯＦＤＭ信号に対し、窓処理部２５からＦＩＲフィルタ部３６までの構成部により希望波レプリカ信号が生成される処理時間分の遅延を加える。これにより、減算部３７において、希望波と混信波とが混在する複素ＯＦＤＭ信号から、希望波レプリカ信号を減算するタイミングを合わせることができる。
【００４５】
ＦＦＴ部２７は、窓処理部２５により抽出された有効シンボル期間の複素ＯＦＤＭ信号に対し、高速フーリエ変換処理を行い、時間領域の複素ＯＦＤＭ信号を１セグメント分の周波数領域のキャリアシンボルに変換する。
【００４６】
ＳＰ信号抽出部２８は、ＦＦＴ部２７より出力されたキャリアシンボルの中から、予め決められたシンボル番号及びキャリア番号のキャリアシンボルとして伝送されたパイロット信号であるＳＰ信号を抽出する。抽出されたＳＰ信号は、伝送路特性を算出するために用いられる。
【００４７】
伝送路特性算出部２９は、ＳＰ信号抽出部２８により抽出された伝送路歪みにより振幅及び位相が変化したＳＰ信号（受信ＳＰ信号）を、予め決められた振幅及び位相を持つＳＰ信号（送信ＳＰ信号）で除算し、伝送路特性を算出する。ＳＰ信号はシンボル方向（時間方向）及びキャリア方向（周波数方向）に離散的に挿入されているため、ＳＰ信号から算出される伝送路特性もシンボル方向及びキャリア方向に離散的である。そのため、算出されたＳＰ信号に対する伝送路特性をシンボル方向及びキャリア方向に補間することで、全てのキャリアシンボルに対する伝送路特性が算出される。前記シンボル方向及びキャリア方向の補間処理に関しては様々な方法があり、多くが既知の技術であることから、詳しい説明は省略する。
【００４８】
等化部３０は、ＦＦＴ部２７により出力されたキャリアシンボルを、伝送路特性算出部２９により算出された伝送路特性で複素除算することにより等化し、キャリアシンボルの振幅の大きさ及び位相量に対して補償を行う。これにより、伝送路歪みが除去された希望波Ａ階層信号のキャリアシンボルが得られる。
【００４９】
フィルタ係数生成部３１は、伝送路特性算出部２９により算出された伝送路特性に対し、逆高速フーリエ変換処理を行い、周波数領域の伝送路特性を、時間領域のインパルス応答に変換し、得られたインパルス応答をもとにＦＩＲフィルタ部３６にて用いるフィルタ係数を生成する。ここで、ＦＩＲフィルタ部３６は、伝送路特性算出部２９により算出された伝送路特性を再現するために構成され、フィルタ係数生成部３１により生成されるフィルタ係数は、ＦＩＲフィルタ部３６において伝送路特性を再現するために用いられる。
【００５０】
シンボル判定部３２は、等化部３０により等化されたキャリアシンボルに対し、予め定められたマッピング規則に基づく信号点の位置から閾値を算出して、比較することにより、送信時の信号点を推定する。キャリアシンボルの変調方式がＱＰＳＫ（Ｑｕａｄｒａｔｕｒｅ  Ｐｈａｓｅ  Ｓｈｉｆｔ  Ｋｅｙｉｎｇ：四位相偏移変調）であり、希望波に対する混信波のＤＵ比が十分に大きい場合には、その判定処理に硬判定を用いることができる。
【００５１】
ここで、希望波の受信レベルが混信波の受信レベルよりも高い（周波数領域において混信波の振幅が希望波の信号点間の距離の半分より小さい）ことから、このシンボル判定部３２により推定される信号点は、希望波の送信時の信号点となる。これにより、希望波と混信波とが混在した受信信号から、周波数領域において希望波信号のみを抽出することができる。
【００５２】
再変調部３３は、シンボル判定部３２により推定された信号点の情報に基づいて、キャリアシンボルの再マッピングを行う。これにより、希望波における送信時のキャリアシンボルが再生される。
【００５３】
ＩＦＦＴ部３４は、再変調部３３により再マッピングされた希望波のキャリアシンボルに対し、逆高速フーリエ変換処理を行い、ＯＦＤＭシンボル毎に、周波数領域のキャリアシンボルを、時間領域の有効シンボル期間の複素ＯＦＤＭ信号に変換する。
【００５４】
ＧＩ付加部３５は、ＩＦＦＴ部３４において変換され、出力された有効シンボル期間の複素ＯＦＤＭ信号に対し、ＩＳＤＢ−Ｔ伝送方式で定められている長さのＧＩを前記有効シンボル期間の複素ＯＦＤＭ信号の前縁に付加する。これにより、伝送路歪みを含まない時間領域の希望波信号が生成される。
【００５５】
ＦＩＲフィルタ部３６は、ＧＩ付加部３５によりＧＩが付加された時間領域における伝送路歪みを含まない希望波の複素ＯＦＤＭ信号に対し、フィルタ係数生成部３１により生成されたフィルタ係数により伝送路特性を付加し、受信信号に含まれる希望波と同じ振幅特性及び位相特性を持つように調整する。これにより、調整後の信号は、希望波のＡ階層の複製（レプリカ）信号となる。
【００５６】
減算部３７は、遅延部２６により遅延された複素ＯＦＤＭ信号（希望波と混信波とが混在した信号）から、ＦＩＲフィルタ部３６により調整され出力された希望波レプリカ信号を減算し、混信波信号のみを抽出する。これにより、希望波がキャンセルされる。すなわち、減算後の信号は、希望波がキャンセルされた状態で、混信波のＡ階層信号のみとなる。
【００５７】
直交変調部３８は、減算部３７により抽出された混信波のＡ階層信号である複素ＯＦＤＭ信号を直交変調し、混信波のＩＦ信号に変換する。
【００５８】
Ｄ／Ａ変換部３９は、直交変調部３８により変換された混信波のＩＦ信号に対し、デジタル信号からアナログ信号への変換を行い、アナログ化したＩＦ信号を生成する。
【００５９】
ＢＰＦ４０は、Ｄ／Ａ変換部３９により変換されたＩＦ信号に現れるスペクトルのうち、折り返し成分を除去する。尚、ＢＰＦ４０は、ＢＰＦ（Ｂａｎｄ  Ｐａｓｓ  Ｆｉｌｔｅｒ：帯域通過フィルタ）に代えて、ＬＰＦ（Ｌｏｗ Ｐａｓｓ Ｆｉｌｔｅｒ：ローパスフィルタ）を用いることもできる。これにより、混信波のＩＦ信号が出力される。
【００６０】
以上のように、実施例１の混信波抽出装置１−１によれば、希望波と混信波とが混在した信号を受信し、ＢＰＦ２１が受信信号のＩＦ信号からＡ階層信号を抜き出し、直交復調部２３がＡ階層信号を直交復調し、ＦＦＴ部２７が高速フーリエ変換して周波数領域のキャリアシンボルに変換し、等化部３０がキャリアシンボルを伝送路特性で除算して等化し、シンボル判定部３２がシンボル判定し、希望波の受信レベルが混信波の受信レベルよりも高いことを利用することにより、希望波の送信点の信号を推定し、再変調部３３が再マッピングし、ＩＦＦＴ部３４が逆高速フーリエ変換して時間領域の信号を生成し、ＧＩ付加部３５がＧＩを付加し、時間領域における希望波信号を生成するようにした。また、伝送路特性算出部２９がキャリアシンボルから抽出されたＳＰ信号を用いて伝送路特性を算出し、フィルタ係数生成部３１が伝送路特性からフィルタ係数を生成するようにした。また、ＦＩＲフィルタ部３６が、時間領域における希望波信号に伝送路特性を付加し、希望波レプリカ信号を生成するようにした。また、減算部３７が、希望波と混信波とが混在した信号から希望波レプリカ信号を減算し、希望波信号をキャンセルして混信波信号を抽出し、直交変調部３８が直交変調し、ＢＰＦ４０が折り返し成分を除去するようにした。
【００６１】
これにより、希望波と混信波とが混在する状況であっても、希望波の受信レベルが混信波の受信レベルよりも高いことを利用して、希望波信号を抽出することができ、受信信号から希望波信号を除去し、混信波信号を高精度に抽出することが可能となる。したがって、送信局の送信装置を停止して希望波を停波させることなく、混信波を抽出でき、抽出した混信波を調査することができるから、放送事業者の作業負荷を低減することが可能となる。
【実施例２】
【００６２】
次に、実施例２の混信波抽出装置について説明する。図３は、実施例２の混信波抽出装置の構成を示すブロック図である。この混信波抽出装置１−２は、ＢＰＦ２１、Ａ／Ｄ変換部２２、直交復調部２３、同期再生部２４、窓処理部２５、遅延部２６、ＦＦＴ部２７、ＳＰ信号抽出部２８、伝送路特性算出部２９、等化部３０、フィルタ係数生成部３１、シンボル判定部３２、再変調部３３、ＩＦＦＴ部３４、ＧＩ付加部３５、ＦＩＲフィルタ部３６、減算部３７、直交変調部３８、Ｄ／Ａ変換部３９、ＢＰＦ４０、ＳＰ信号発生部４１及びＳＰ信号付替え部４２を備えている。尚、ＳＰ信号発生部４１及びＳＰ信号付替え部４２を含む、直交復調部２３から直交変調部３８までの間の信号処理は、全て複素信号処理であるため、ブロック図上は単一の線路で信号経路が描かれているが、実際には実部信号及び虚部信号の両方による信号処理が行われている。
【００６３】
図２に示した実施例１の混信波抽出装置１−１と、図３に示す実施例２の混信波抽出装置１−２とを比較すると、両装置１−１，１−２は、図２に示した混信波抽出装置１−１の構成部を備えている点で同一である。これに対し、実施例２の混信波抽出装置１−２は、実施例１の混信波抽出装置１−１の構成に加え、さらに、ＳＰ信号発生部４１及びＳＰ信号付替え部４２を備えている点で、実施例１の混信波抽出装置１−１と相違する。ＳＰ信号発生部４１及びＳＰ信号付替え部４２は、再変調部３３の後段、かつＩＦＦＴ部３４の前段に設けられている。図３において、図２と共通する部分には図２と同一の符号を付し、その詳しい説明は省略する。
【００６４】
混信波抽出装置１−２は、他の地上デジタル放送波の混信の影響を受けている希望波の地上デジタル放送波を受信し、ＩＳＤＢ−Ｔ方式の受信信号をＩＦ信号に変換する。そして、混信波抽出装置１−２は、ＩＦ信号からＡ階層信号を抜き出し、抜き出したＡ階層信号を周波数領域信号に変換し、等化及びシンボル判定を行って希望波信号を抽出し、予め決められたシンボル番号及びキャリア番号の位置に挿入されているＳＰ信号を、別途生成した誤りのないＳＰ信号に付け替え、さらに伝送路特性を付加し、希望波レプリカ信号を新たに生成し、それを混信波が重畳されている原信号（ＩＦ信号）から減算し、減算結果である混信波信号を出力する。
【００６５】
ＳＰ信号発生部４１は、予め決められた振幅及び位相を持つＳＰ信号、すなわち送信時の振幅及び位相が既知のＳＰ信号を発生する。
【００６６】
ＳＰ信号付替え部４２は、再変調部３３により再マッピングされた希望波のキャリアシンボルにおいて、予め決められたシンボル番号及びキャリア番号の位置に挿入されているＳＰ信号を、ＳＰ信号発生部４１により発生されたＳＰ信号に付け替える。この操作により、原信号に含まれていたシンボル判定時に判定誤りが発生している可能性のある再生されたＳＰ信号は、別途生成された誤りのないＳＰ信号に付け替えられる。
【００６７】
そして、ＩＦＦＴ部３４は、ＳＰ信号付加部４２によりＳＰ信号が付け替えられた希望波のキャリアシンボルに対し、逆高速フーリエ変換処理を行う。
【００６８】
以上のように、実施例２の混信波抽出装置１−２によれば、シンボル判定部３２が、シンボル判定し、希望波の受信レベルが混信波の受信レベルよりも高いことを利用することにより、希望波の送信点の信号を推定し、伝送路歪みのない希望波のキャリアシンボルを再生し、希望波のＳＰ信号付替え部４２が、再生した希望波のキャリアシンボルのうちのＳＰ信号を、別途生成したＳＰ信号に付け替えるようにした。また、ＦＩＲフィルタ部３６が、ＳＰ信号付替え後の希望波信号に、時間領域で伝送路特性を付加し、希望波レプリカ信号を生成するようにした。また、減算部３７が、希望波と混信波とが混在した信号から希望波信号をキャンセルして混信波信号のみを抽出するようにした。
【００６９】
これにより、希望波と混信波とが混在する状況であっても、希望波の受信レベルが混信波の受信レベルよりも高いことを利用して、希望波信号を抽出することができ、受信信号から希望波信号を除去し、混信波信号を高精度に抽出することが可能となる。したがって、送信局の送信装置を停止して希望波を停波させることなく、混信波を抽出でき、抽出した混信波を調査することができるから、放送事業者の作業負荷を低減することが可能となる。また、再変調後の希望波のキャリアシンボルにおいてＳＰ信号が付け替えられるから、シンボル判定部３２においてＳＰ信号のシンボル判定に誤りがあったとしても、その誤りを修正することができる。つまり、希望波レプリカ信号の精度を高くすることができ、受信信号から希望波信号を除去して得られる混信波信号の精度も高くすることができる。
【実施例３】
【００７０】
次に、実施例３の混信波抽出装置について説明する。図４は、実施例３の混信波抽出装置の構成を示すブロック図である。この混信波抽出装置１−３は、ＢＰＦ２１、Ａ／Ｄ変換部２２、直交復調部２３、同期再生部２４、窓処理部２５、遅延部２６、ＦＦＴ部２７、ＳＰ信号抽出部２８、伝送路特性算出部２９、等化部３０、フィルタ係数生成部３１、シンボル判定部３２、再変調部３３、ＩＦＦＴ部３４、ＧＩ付加部３５、ＦＩＲフィルタ部３６、減算部３７、直交変調部３８、Ｄ／Ａ変換部３９、ＢＰＦ４０、ＳＰ信号発生部４１、ＳＰ信号付替え部４２及びＢＰＦ４３を備えている。尚、ＳＰ信号発生部４１、ＳＰ信号付替え部４２及びＢＰＦ４３を含む、直交復調部２３から直交変調部３８までの間の信号処理は、全て複素信号処理であるため、ブロック図上は単一の線路で信号経路が描かれているが、実際には実部信号及び虚部信号の両方による信号処理が行われている。
【００７１】
図３に示した実施例２の混信波抽出装置１−２と、図４に示す実施例３の混信波抽出装置１−３とを比較すると、両装置１−２，１−３は、図３に示した混信波抽出装置１−２の構成部を備えている点で同一である。これに対し、実施例３の混信波抽出装置１−３は、実施例２の混信波抽出装置１−２の構成に加え、さらにＢＰＦ４３を備えている点で、実施例２の混信波抽出装置１−２と相違する。図４において、ＢＰＦ４３は、直交復調部２３の後段、かつ窓処理部２５及び遅延部２６の前段に設けられている。図４において、図３と共通する部分には図３と同一の符号を付し、その詳しい説明は省略する。
【００７２】
混信波抽出装置１−３は、他の地上デジタル放送波の混信の影響を受けている希望波の地上デジタル放送波を受信し、ＩＳＤＢ−Ｔ方式の受信信号をＩＦ信号に変換する。そして、混信波抽出装置１−３は、ＩＦ信号からＡ階層信号をアナログフィルタにより抜き出し、さらに、Ａ階層信号をデジタルフィルタにより厳密に抜き出し、抜き出したＡ階層信号を周波数領域信号に変換し、等化及びシンボル判定を行って、希望波信号を抽出し、予め決められたシンボル番号及びキャリア番号の位置に挿入されているＳＰ信号を、別途生成した誤りのないＳＰ信号に付け替え、さらに伝送路特性を付加し、希望波レプリカ信号を新たに生成し、それを混信波が重畳されている原信号（ＩＦ信号）から減算し、減算結果である混信波信号を出力する。
【００７３】
ＢＰＦ４３は、急峻な肩特性を持つデジタルフィルタで構成されており、直交復調部２３により生成された複素ＯＦＤＭ信号からＡ階層信号を抜き出す。ＢＰＦ４３は、デジタルフィルタにより構成されるから、アナログフィルタにより構成されるＢＰＦ２１とは異なり、Ａ階層信号のみを厳密にかつ精度高く抜き出すことができる。
【００７４】
そして、窓処理部２５は、同期再生部２４により再生されたシンボルタイミングに基づいて、ＢＰＦ４３により抽出されたＡ階層信号の複素ＯＦＤＭ信号からＧＩを除去し、有効シンボル期間の信号を抽出する。また、遅延部２６は、ＢＰＦ４３により抽出されたＡ階層信号の複素ＯＦＤＭ信号に対し、窓処理部２５からＦＩＲフィルタ部３６までの構成部により希望波レプリカ信号が生成される処理時間分の遅延を加える。
【００７５】
以上のように、実施例３の混信波抽出装置１−３によれば、デジタルフィルタで構成されるＢＰＦ４３が、Ａ階層信号を高精度に抜き出し、シンボル判定部３２が、Ａ階層信号のキャリアシンボルについてシンボル判定し、希望波の受信レベルが混信波の受信レベルよりも高いことを利用することにより、希望波の送信点の信号を推定し、伝送路歪みのない希望波のキャリアシンボルを再生し、希望波のＳＰ信号付替え部４２が、再生した希望波のキャリアシンボルのうちのＳＰ信号を、別途生成したＳＰ信号に付け替えるようにした。また、ＦＩＲフィルタ部３６が、ＳＰ信号付替え後の希望波信号に、時間領域で伝送路特性を付加し、希望波レプリカ信号を生成するようにした。また、減算部３７が、希望波と混信波とが混在する信号から希望波信号をキャンセルして混信波信号のみを抽出するようにした。
【００７６】
これにより、希望波と混信波とが混在する状況であっても、希望波の受信レベルが混信波の受信レベルよりも高いことを利用して、希望波信号を抽出することができ、受信信号から希望波信号を除去し、混信波信号を高精度に抽出することが可能となる。したがって、送信局の送信装置を停止して希望波を停波させることなく、混信波を抽出でき、抽出した混信波を調査することができるから、放送事業者の作業負荷を低減することが可能となる。また、再変調後の希望波のキャリアシンボルにおいてＳＰ信号が付け替えられるから、シンボル判定部３２においてＳＰ信号のシンボル判定に誤りがあったとしても、その誤りを修正することができる。つまり、希望波レプリカ信号の精度を高くすることができ、受信信号から希望波信号を除去して得られる混信波信号の精度も高くすることができる。さらに、デジタルフィルタにより精度高くＡ階層信号を抜き出すから、希望波信号を精度高く抽出することができ、結果として、混信波信号の精度を一層高くすることができる。
【実施例４】
【００７７】
次に、実施例４の混信波抽出装置について説明する。図５は、実施例４の混信波抽出装置の構成を示すブロック図である。この混信波抽出装置１−４は、ＢＰＦ２１、Ａ／Ｄ変換部２２、直交復調部２３、同期再生部２４、窓処理部２５、遅延部２６、ＦＦＴ部２７、ＳＰ信号抽出部２８、伝送路特性算出部２９、等化部３０、フィルタ係数生成部３１、シンボル判定部３２、再変調部３３、ＩＦＦＴ部３４、ＧＩ付加部３５、ＦＩＲフィルタ部３６、減算部３７、直交変調部３８、Ｄ／Ａ変換部３９、ＢＰＦ４０、ＳＰ信号発生部４１、ＳＰ信号付替え部４２、ＢＰＦ４３及びＡＦＣ（Ａｕｔｏｍａｔｉｃ  Ｆｒｅｑｕｅｎｃｙ  Ｃｏｎｔｒｏｌ：自動周波数制御）部４４を備えている。尚、ＳＰ信号発生部４１、ＳＰ信号付替え部４２、ＢＰＦ４３及びＡＦＣ（Ａｕｔｏｍａｔｉｃ  Ｆｒｅｑｕｅｎｃｙ  Ｃｏｎｔｒｏｌ：自動周波数制御）部４４を含む、直交復調部２３から直交変調部３８までの間の信号処理は、全て複素信号処理であるため、ブロック図上は単一の線路で信号経路が描かれているが、実際には実部信号及び虚部信号の両方による信号処理が行われている。
【００７８】
図４に示した実施例３の混信波抽出装置１−３と、図５に示す実施例４の混信波抽出装置１−４とを比較すると、両装置１−３，１−４は、図４に示した混信波抽出装置１−３の構成部を備えている点で同一である。これに対し、実施例４の混信波抽出装置１−４は、実施例３の混信波抽出装置１−３の構成に加え、さらにＡＦＣ部４４を備えている点で、実施例３の混信波抽出装置１−３と相違する。図５において、ＡＦＣ部４４は、直交復調部２３の後段、かつＢＰＦ４３及び同期再生部２４の前段に設けられている。図５において、図４と共通する部分には図４と同一の符号を付し、その詳しい説明は省略する。
【００７９】
混信波抽出装置１−４は、他の地上デジタル放送波の混信の影響を受けている希望波の地上デジタル放送波を受信し、ＩＳＤＢ−Ｔ方式の受信信号をＩＦ信号に変換する。そして、混信波抽出装置１−４は、ＩＦ信号からＡ階層信号をアナログフィルタにより抜き出し、自動周波数制御により等価低域帯のＡ階層の複素ＯＦＤＭ信号の周波数オフセットを除去し、さらに、Ａ階層信号をデジタルフィルタにより厳密に抜き出し、抜き出したＡ階層信号を周波数領域信号に変換し、等化及びシンボル判定を行って希望波信号を抽出し、予め決められたシンボル番号及びキャリア番号の位置に挿入されているＳＰ信号を、別途生成した誤りのないＳＰ信号に付け替え、さらに伝送路特性を付加し、希望波レプリカ信号を新たに生成し、それを混信波が重畳されている原信号（ＩＦ信号）から減算し、減算結果である混信波信号を出力する。
【００８０】
図６は、図５に示すＡＦＣ部４４の構成を示すブロック図である。このＡＦＣ部４４は、ＮＣＯ（Ｎｕｍｅｒｉｃａｌ  Ｃｏｎｔｒｏｌｌｅｄ  Ｏｓｃｉｌａｔｏｒ：数値制御発振器）制御データ発生器４４２、ＮＣＯ４４３及び位相回転器４４１を備えている。位相回転器４４１は、４個の乗算器４４４−１〜４４４−４、減算器４４５及び加算器４４６を備えている。ＮＣＯ制御データ発生器４４２は、同期再生部２４において検出及び出力された周波数オフセットデータを入力し、周波数オフセットデータとは逆のオフセットを持つデータに応じて変化するＮＣＯ制御データを発生する。ＮＣＯ４４３は、ＮＣＯ制御データ発生器４４２により発生したＮＣＯ制御データを入力し、ＮＣＯ制御データに応じて周波数が増減する信号を発生し、位相回転器４４１に出力する。これにより、ＮＣＯ４４３は、周波数オフセットとは逆のオフセットを持つ複素キャリア信号のＩ軸信号及びＱ軸信号を位相回転器４４１に出力することができる。
【００８１】
位相回転器４４１の乗算器４４４−１は、直交復調部２３から複素ＯＦＤＭ信号のＩ軸信号を入力すると共に、ＮＣＯ４４３から逆の周波数オフセットを有するＩ軸信号を入力し、両信号を乗算する。乗算器４４４−２は、直交復調部２３から複素ＯＦＤＭ信号のＩ軸信号を入力すると共に、ＮＣＯ４４３から逆の周波数オフセットを有するＱ軸信号を入力し、両信号を乗算する。乗算器４４４−３は、直交復調部２３から複素ＯＦＤＭ信号のＱ軸信号を入力すると共に、ＮＣＯ４４３から逆の周波数オフセットを有するＱ軸信号を入力し、両信号を乗算する。乗算器４４４−４は、直交復調部２３から複素ＯＦＤＭ信号のＱ軸信号を入力すると共に、ＮＣＯ４４３から逆の周波数オフセットを有するＩ軸信号を入力し、両信号を乗算する。減算器４４５は、乗算器４４４−１の乗算結果から乗算器４４４−３の乗算結果を減算し、減算結果を、周波数オフセットを除去した複素ＯＦＤＭ信号のＩ軸信号としてＢＰＦ４３に出力する。加算器４４６は、乗算器４４４−２の乗算結果と乗算器４４４−４の乗算結果を加算し、加算結果を、周波数オフセットを除去した複素ＯＦＤＭ信号のＱ軸信号としてＢＰＦ４３に出力する。
【００８２】
すなわち、ＡＦＣ部４４は、直交復調部２３から入力された複素ＯＦＤＭ信号を被乗算信号として位相回転器４４１に入力すると共に、同期再生部２４において検出及び出力された周波数オフセットデータを入力する。そして、ＡＦＣ部４４は、当該周波数オフセットデータに基づいて、逆の周波数オフセットを持つ複素キャリア信号を、ＮＣＯ４４３に発生させ、当該ＮＣＯ４４３が発生した逆の周波数オフセットを持つ複素キャリア信号を乗算信号として位相回転器４４１に入力し、直交復調部２３から入力された複素ＯＦＤＭ信号に逆の周波数オフセットを与えることで、周波数オフセットを除去した複素ＯＦＤＭ信号を生成する。
【００８３】
ＢＰＦ４３は、急峻な肩特性を持つデジタルフィルタで構成されており、ＡＦＣ部４４により生成された周波数オフセット除去後の複素ＯＦＤＭ信号からＡ階層信号を抽出する。
【００８４】
（ＡＦＣ部の必要性）
前述のとおり、ＡＦＣ部４４は、直交復調部２３により生成された複素ＯＦＤＭ信号の周波数オフセットを除去する。以下、混信波抽出装置１−４において、複素ＯＦＤＭ信号の周波数オフセットを除去することによる効果、すなわちＡＦＣ部４４の必要性について詳細に説明する。
【００８５】
混信波抽出装置１−４の直交復調部２３は、多数のキャリアで構成されるＩＦ帯のＯＦＤＭ信号を、既知の一定の周波数（ＩＦ信号の中心周波数）の複素ローカル信号を乗算した後にＬＰＦ(Ｌｏｗ  Ｐａｓｓ  Ｆｉｌｔｅｒ)処理してイメージ成分を除去し、等価低域帯の複素ＯＦＤＭ信号を生成する。
【００８６】
前述のとおり、ＩＦ帯域のＯＦＤＭ信号を等価低域帯の複素ＯＦＤＭ信号に変換する際に、周波数が一定のＩＦ帯のキャリア信号が用いられる。このＩＦ帯のキャリア信号の周波数は、入力されるＩＦ帯のＯＦＤＭ信号のキャリア周波数に正確に一致している必要がある。しかし、このキャリア信号の周波数と、入力されたＩＦ帯のＯＦＤＭ信号の周波数との間にズレ（オフセット）が生じると、キャリア間の直交性が崩れたままＦＦＴされることになり、ＦＦＴ後のキャリアシンボルにキャリア間干渉が発生して、復調後の誤り率特性に劣化が生じる。
【００８７】
ここで、周波数オフセットと誤り率特性の関係について説明する。ＯＦＤＭ信号のシンボルレートをＴＳ、シンボル周波数をｆ０とすると、ＧＩが無い場合、シンボルレートＴＳとシンボル周波数ｆ０との関係は、ｆ０＝１／ＴＳで表される。ＯＦＤＭ信号の場合、シンボルレートＴＳの逆数は、キャリア間隔周波数に一致する。このキャリア間隔で正規化した周波数オフセットの大きさをαで定義し、正規化周波数オフセットと呼ぶこととする。正規化周波数オフセットαが大きい程、周波数オフセットが大きくなり、α＝Δｆ／ｆ０で表される。
【００８８】
図７は、周波数オフセットが存在する場合の受信ＣＮ比に対するシンボル誤り率の特性を示す図である。図７において、正規化周波数オフセットα＝０の特性は、周波数オフセットが存在せず、ガウス雑音のみ存在している場合の特性を示している。図７によれば、正規化周波数オフセットαが大きくなると、ＣＮ比が向上しても誤り率の向上が劣化していることがわかる。特に、ＩＳＤＢ−Ｔに採用されている６４ＱＡＭの例では、周波数オフセットが大きくなると、ＣＮ比をいかに改善しても、誤り率の向上は見られない。これは、周波数オフセットによるキャリア間干渉の影響が支配的になるからである。
【００８９】
図８は、正規化周波数オフセットに対するシンボル誤り率を示す図である。図８によれば、正規化周波数オフセットαが大きくなると、干渉によるシンボル誤り率は急激に劣化することがわかる。尚、図７及び図８は、“「わかりやすいＯＦＤＭ技術」、伊丹誠著、オーム社”から引用したものである。
【００９０】
このように、周波数オフセットの存在は、ＯＦＤＭ信号の復調結果の品質に大きな影響を与えてしまうため、図５に示したＡＦＣ部４４を備えることにより、周波数オフセットの無い複素ＯＦＤＭ信号を生成することが必要になる。
【００９１】
また、ＡＦＣ部４４を備えることにより、ＢＰＦ４３に入力する複素ＯＦＤＭ信号の周波数オフセットを正確に除去することで、ＢＰＦ４３の通過帯域幅をＡ階層信号の帯域幅により近づけることが可能になり、より精度良く混信波信号を抽出することが可能になる。
【００９２】
尚、図６に示したＡＦＣ機能の実現方法は一例であり、他にも様々な方法があるが、多くが既知の技術であることから、ここでは説明を省略する。要するに、ＡＦＣ機能によって、周波数オフセットを除去した複素ＯＦＤＭ信号が生成できればよい。前述した実施例１〜３に記載した混信波抽出装置１−１〜１−３では、入力されるＩＦ信号の周波数が正確に規定値と一致しており、等価低域帯の複素ＯＦＤＭ信号の周波数オフセットがゼロである場合を想定している。
【００９３】
以上のように、実施例４の混信波抽出装置１−４によれば、ＡＦＣ部４４が、複素ＯＦＤＭ信号の周波数オフセットを除去し、デジタルフィルタで構成されるＢＰＦ４３が、Ａ階層信号を高精度に抜き出し、シンボル判定部３２が、Ａ階層信号のキャリアシンボルについてシンボル判定し、希望波の受信レベルが混信波の受信レベルよりも高いことを利用することにより、希望波の送信点の信号を推定し、伝送路歪みのない希望波のキャリアシンボルを再生し、希望波のＳＰ信号付替え部４２が、再生した希望波のキャリアシンボルのうち、ＳＰ信号を別途生成したＳＰ信号に付け替えるようにした。また、ＦＩＲフィルタ部３６が、ＳＰ信号付替え後の希望波信号に、時間領域で伝送路特性を付加し、希望波レプリカ信号を生成するようにした。また、減算部３７が、希望波と混信波とが混在した信号から希望波信号をキャンセルして混信波信号のみを抽出するようにした。
【００９４】
これにより、希望波と混信波とが混在する状況であっても、希望波の受信レベルが混信波の受信レベルよりも高いことを利用して、希望波信号を抽出することができ、受信信号から希望波信号を除去し、混信波信号を高精度に抽出することが可能となる。したがって、送信局の送信装置を停止して希望波を停波させることなく、混信波を抽出でき、抽出した混信波を調査することができるから、放送事業者の作業負荷を低減することが可能となる。また、再変調後の希望波のキャリアシンボルにおいてＳＰ信号が付け替えられるから、シンボル判定部３２においてＳＰ信号のシンボル判定に誤りがあったとしても、その誤りを修正することができる。つまり、希望波レプリカ信号の精度を高くすることができ、受信信号から希望波信号を除去して得られる混信波信号の精度も高くすることができる。また、デジタルフィルタにより精度高くＡ階層信号を抜き出すから、希望波信号を精度高く抽出することができ、結果として、混信波信号の精度を一層高くすることができる。さらに、等価低域帯に変換した信号に対して周波数オフセットを除去するようにしたから、周波数オフセットのない複素ＯＤＦＭ信号から希望波を抽出でき、結果として、希望波レプリカ信号の精度が高くなるため、希望波と混信波とが混在した信号から希望波をキャンセルして得られる混信波信号の精度を一層高くすることができる。
【実施例５】
【００９５】
次に、実施例５の混信波抽出装置について説明する。図９は、実施例５の混信波抽出装置の構成を示すブロック図である。この混信波抽出装置１−５は、ＢＰＦ２１、Ａ／Ｄ変換部２２、直交復調部２３、同期再生部２４、窓処理部２５、遅延部２６、ＦＦＴ部２７、ＳＰ信号抽出部２８、伝送路特性算出部２９、等化部３０、フィルタ係数生成部３１、ＩＦＦＴ部３４、ＧＩ付加部３５、ＦＩＲフィルタ部３６、減算部３７、直交変調部３８、Ｄ／Ａ変換部３９、ＢＰＦ４０，４３、ＡＦＣ部４４、データシンボル分離部４５、周波数デインターリーブ部４６、時間デインターリーブ部４７、デマッピング部４８、ビットデインターリーブ部４９、デパンクチュア部５０、ビタビ復号部５１、畳み込み符号化部５２、パンクチュア部５３、ビットインターリーブ部５４、マッピング部５５、時間インターリーブ部５６、周波数インターリーブ部５７、シンボル判定部５８、再変調部５９、遅延部６０、ＳＰ／ＣＰ（Ｃｏｎｔｉｎｕａｌ Ｐｉｌｏｔ：コンティニュアルパイロット）信号発生部６１及びフレーム再構築部６２を備えている。尚、直交復調部２３から直交変調部３８までの間の信号処理の内、ビットデインターリーブ部４９、デパンクチュア部５０、ビタビ復号部５１、畳み込み符号化部５２、パンクチュア部５３及びビットインターリーブ部５４を除く部分は、全て複素信号処理であるため、ブロック図上は単一の線路で信号経路が描かれているが、実際には実部信号及び虚部信号の両方による信号処理が行われている。
【００９６】
図５に示した実施例４の混信波抽出装置１−４と、図９に示す実施例５の混信波抽出装置１−５とを比較すると、図９に示す混信波抽出装置１−５は、図５に示した混信波抽出装置１−４におけるシンボル判定部３２からＳＰ信号発生部４１及びＳＰ信号付替え部４２までの構成部分の代わりに、データシンボル分離部４５からフレーム再構築部６２の構成部分を備えている点で相違する。図９において、図５と共通する部分については図５と同一の符号を付し、その詳しい説明は省略する。
【００９７】
混信波抽出装置１−５は、他の地上デジタル放送波の混信の影響を受けている希望波の地上デジタル放送波を受信し、その受信信号をＩＦ信号に変換する。そして、混信波抽出装置１−５は、ＩＦ信号からＡ階層信号をアナログフィルタにより抜き出し、自動周波数制御により等価低域帯のＡ階層の複素ＯＦＤＭ信号の周波数オフセットを除去し、さらに、Ａ階層信号をデジタルフィルタにより厳密に抜き出し、抜き出したＡ階層信号を周波数領域信号に変換し、等化を行った後、全キャリアシンボルの内、ＡＣ（Ａｕｘｉｌｉａｒｙ Ｃｈａｎｎｅｌ）及びＴＭＣＣ（Ｔｒａｎｓｍｉｓｓｉｏｎ ａｎｄ Ｍｕｌｔｉｐｌｅｘｉｎｇ Ｃｏｎｆｉｇｕｒａｔｉｏｎ Ｃｏｎｔｒｏｌ）信号を伝送しているキャリアシンボル、ＳＰ及びＣＰ信号を伝送しているキャリアシンボル、並びにそれ以外のデータ信号を伝送しているキャリアシンボルに分離する。そして、混信波抽出装置１−５は、ＡＣ、ＴＭＣＣ、ＳＰ及びＣＰ信号を伝送しているキャリアシンボル以外のデータ信号を伝送しているキャリアシンボルについて、キャリアシンボル単位で周波数及び時間軸上のデインターリーブを行い、続いてデマッピング、ビットデインターリーブ及びデパンクチュア処理を行い、ビタビ復号により内符号のビット誤り訂正を行った後に、畳み込み符号化を行い、パンクチュア処理、ビットインターリーブ及びシンボル再マッピングを行い、キャリアシンボル単位で時間及び周波数軸上のインターリーブを行う。そして、混信波抽出装置１−５は、インターリーブを施した信号に、別途硬判定及び再マッピングしたＡＣ及びＴＭＣＣ信号と、別途生成した誤りの無いＳＰ及びＣＰ信号とを加え、ＯＦＤＭフレームを再構成し、ＩＦＦＴ及びＧＩ付加処理を行って時間領域信号に変換した後、さらに伝送路特性を付加することで希望波レプリカ信号を新たに生成し、それを混信波が重畳されている原信号（ＩＦ信号）から減算し、減算結果である混信波信号を出力する。
【００９８】
データシンボル分離部４５は、等化部３０により伝送路応答を用いて補正されたＩＳＤＢ−ＴのＡ階層信号の各キャリアシンボルの内、ＡＣ及びＴＭＣＣ信号を伝送しているキャリアシンボル、ＳＰ及びＣＰ信号を伝送しているキャリアシンボル、並びにそれ以外のデータ信号を伝送しているキャリアシンボルを分離する。分離されたＡＣ及びＴＭＣＣ信号を伝送しているキャリアシンボルはシンボル判定部５８へ、データ信号を伝送しているキャリアシンボルは周波数デインターリーブ部４６へ送られる。
【００９９】
周波数デインターリーブ部４６は、マルチパスによるバースト誤りをランダム誤り化するために施されているデータシンボルの周波数軸上のインターリーブを、所定の規則に従って解消する。具体的には、データ・セグメント内のキャリアローテション及びキャリア・ランダマイズを解消する。尚、インターリーブを解くための規則は既知であるから、ここでは説明を省略する。詳細については前述の非特許文献１を参照されたい。以下、断りの無い限り、「既定の規則に従って」または「予め決められた規則」と記載した場合は、前述の非特許文献１に記載されている規則に従うことを意味することとする。
【０１００】
時間デインターリーブ部４７は、時間インターリーブにより伝送されているキャリアシンボルがキャリア毎に時間軸上で異なる遅延が与えられていることから、このキャリア毎の遅延差を既定の規則に従って解消する。この動作はデータ・セグメント単位で行われる。
【０１０１】
デマッピング部４８は、Ａ階層信号を伝送するキャリアの変調方式に準じて、受信伝送シンボルのＩ，Ｑ平面上の位置から送信シンボルを推定し、０，１のビットデータまたは、後段のビタビ復号部５１が軟判定を行う場合にはビット毎に３ビット程度で表現される尤度を生成する。
【０１０２】
デマッピング部４８で生成されたビットデータまたは尤度データには、シンボル誤りに起因して生じる連続したビット誤りをランダマイズするためにビットインターリーブが施されている。ビットデインターリーブ部４９は、このランダマイズを既定の規則に従って解消する。
【０１０３】
ＩＳＤＢ−Ｔの内符号符号化部では、１つのマザーコードで複数の符号化率に対応するために、規定のパンクチュアパターンに従って規則的にデータビットの間引きが行われる。デパンクチュア部５０は、内符号復号時にＡ階層の内符号化率に応じて間引かれるビットデータまたは存在しない尤度データに対し、暫定ビットデータまたは尤度＝０．５を挿入する。
【０１０４】
ビタビ復号部５１は、デパンクチュア部５０からの出力ビットデータまたは尤度情報を用いて、内符号復号であるビタビ復号を行う。この結果、ビタビ復号部５１により、内符号訂正後のデータビットが出力されることになる。
【０１０５】
畳み込み符号化部５２は、データビットに対して内符号による誤り訂正原符号化を行う。符号化率は、受信したＡ階層信号と同一とする。原符号化を行うための符号化器の符号化率及び拘束長については、予め定められた規則に従う。
【０１０６】
パンクチュア部５３は、Ａ階層伝送の内符号化率に応じて、規定のパンクチュアパターンに従ってデータビットの間引きを行う。ビットインターリーブ部５４は、パンクチュア部５３から出力されるビット列に対して、既定の規則に従ってビットインターリーブを行う。
【０１０７】
マッピング部５５は、ビットインターリーブ後のビット列に対し、既定の規則に従ってＱＰＳＫ変調のシンボルマッピングを行う。マッピング後のデータは、Ｉ軸及びＱ軸上値を持つ複素シンボルデータとなる。時間インターリーブ部５６は、マッピングされた連続するシンボルデータに対して、既定の規則に従って時間インターリーブを施す。周波数インターリーブ部５７は、Ａ階層で伝送されるセグメント内のキャリアに対して、既定の規則に従って周波数軸方向にランダマイズを行う。
【０１０８】
シンボル判定部５８は、データシンボル分離部４５で分離されたＡＣ及びＴＭＣＣ信号を伝送しているＢＰＳＫ変調キャリアについて、受信信号の信号点の位置から予め定められたマッピング規則に基づく閾値処理により、送信時の信号点を推定し、送信シンボルを得る。ＡＣ及びＴＭＣＣ信号を伝送するシンボルはＢＰＳＫ変調されていることから、混信波のＤＵ比が十分にある場合は、その閾値処理、すなわちシンボル判定に硬判定を用いることができる。
【０１０９】
再変調部５９は、シンボル判定部５８で判定及び推測された送信シンボルの位置に基づき、Ｉ，Ｑ平面上の信号点の位置を表すＩ軸及びＱ軸データを生成する。
【０１１０】
前述のとおり、データシンボル分離部４５は、ＡＣ及びＴＭＣＣ信号のキャリアシンボル、ＳＰ及びＣＰ信号のキャリアシンボル、並びにデータ信号のキャリアシンボルを分離するが、データ信号のキャリアシンボルは、周波数デインターリーブ部４６から周波数インターリーブ部５７までの処理を経る段階で、ＡＣ及びＴＭＣＣ信号のキャリアシンボルに対する処理（シンボル判定部５８から再変調部５９までの処理）の処理時間と比較して、処理時間が長くかかる。このため、遅延部６０は、この処理時間の差を埋めるために、再マッピングされたＡＣ及びＴＭＣＣ信号のキャリアシンボルに対して遅延を加える。ＳＰ／ＣＰ信号発生部６１は、誤りの無いＳＰ信号及びＣＰ信号を発生する。具体的には、予め決められた振幅及び位相を持つＳＰ信号及びＣＰ信号、すなわち送信時の振幅及び位相が既知のＳＰ信号及びＣＰ信号を発生する。
【０１１１】
フレーム再構築部６２は、周波数インターリーブ後のデータ信号のキャリアシンボルと、ＡＣ及びＴＭＣＣ信号のキャリアシンボル、ＳＰ／ＣＰ信号発生部６１で発生した誤りの無いＳＰ及びＣＰ信号のキャリアシンボルを既定の規則に従って合成し、Ａ階層セグメントのＯＦＤＭフレームを再構築する。
【０１１２】
以上のように、実施例５の混信波抽出装置１−５によれば、ＡＦＣ部４４により等価低域帯のＡ階層の複素ＯＦＤＭ信号の周波数オフセットを除去し、さらに、Ａ階層信号をデジタルフィルタで構成されたＢＰＦ４３により厳密に抜き出し、抜き出したＡ階層信号を周波数領域信号に変換し、等化を行った後、データシンボル分離部４５において各キャリアシンボルの内、ＡＣ及びＴＭＣＣ信号のキャリアシンボル、ＳＰ及びＣＰ信号のキャリアシンボル、並びにそれ以外のデータ信号のキャリアシンボルを分離し、ＡＣ、ＴＭＣＣ、ＳＰ及びＣＰ信号のキャリアシンボルを除いたデータ信号のキャリアシンボルについては、周波数及び時間軸上でデインターリーブを行い、続いてデマッピング及びビットデインターリーブを行い、デパンクチュア処理を行い、ビタビ復号により内符号のビット誤り訂正を行った後に、畳み込み符号化、パンクチュア処理、ビットインターリーブ及びシンボル再マッピングを行い、時間及び周波数軸上でインターリーブを行い、これに、別途硬判定及び再マッピングされたＡＣ及びＴＭＣＣ信号のキャリアシンボルと誤りの無いＳＰ及びＣＰ信号のキャリアシンボルとを加え、ＯＦＤＭフレームを再構築し、ＩＦＦＴ及びＧＩ付加後にさらに伝送路特性を付加することで希望波レプリカ信号を新たに生成し、それを混信波が重畳されている原信号（ＩＦ信号）から減算し、減算結果である混信波信号のみを抽出するようにした。
【０１１３】
これにより、希望波と混信波とが混在する状況であっても、希望波の受信レベルが混信波の受信レベルよりも高いことを利用して、希望波信号を抽出することができ、受信信号から希望波信号を除去し、混信波信号を高精度に抽出することが可能となる。したがって、送信局の送信装置を停止して希望波を停波させることなく、混信波を抽出でき、抽出した混信波を調査することができるから、放送事業者の作業負荷を低減することが可能となる。また、希望波レプリカ信号の生成において、受信された希望波のデータに対し、内符号による誤り訂正を行うから、デマッピング部４８においてシンボル判定に誤りが発生し、ビット誤りが発生したとしても、そのビット誤りを修正することができる。また、再変調後の希望波のキャリアシンボルにおいて、ＳＰ及びＣＰ信号が付け替えられているので、ＳＰ及びＣＰ信号にシンボル判定誤りがあったとしても、その誤りを修正することができる。つまり、希望波レプリカ信号の精度を高くすることができ、受信信号から希望波信号を除去して得られる混信波信号の精度も高くすることができる。また、デジタルフィルタにより精度高くＡ階層信号を抜き出すから、希望波信号を精度高く抽出することができ、結果として、混信波信号の精度を一層高くすることができる。さらに、等価低域帯に変換した信号に対して周波数オフセットを除去するようにしたから、周波数オフセットのない複素ＯＤＦＭ信号から希望波を抽出でき、結果として、希望波レプリカ信号の精度が高くなるため、希望波と混信波とが混在した信号から希望波をキャンセルして得られる混信波信号の精度を一層高くすることができる。
【実施例６】
【０１１４】
次に、実施例６の混信波抽出装置について説明する。図１０は、実施例６の混信波抽出装置の構成を示すブロック図である。この混信波抽出装置１−６は、ＢＰＦ２１、Ａ／Ｄ変換部２２、直交復調部２３、同期再生部２４、窓処理部２５、遅延部２６、ＦＦＴ部２７、ＳＰ信号抽出部２８、伝送路特性算出部２９、等化部３０、フィルタ係数生成部３１、ＩＦＦＴ部３４、ＧＩ付加部３５、ＦＩＲフィルタ部３６、減算部３７、直交変調部３８、Ｄ／Ａ変換部３９、ＢＰＦ４０，４３、ＡＦＣ部４４、データシンボル分離部４５、周波数デインターリーブ部４６、時間デインターリーブ部４７、デマッピング部４８、ビットデインターリーブ部４９、デパンクチュア部５０、ビタビ復号部５１、畳み込み符号化部５２、パンクチュア部５３、ビットインターリーブ部５４、マッピング部５５、時間インターリーブ部５６、周波数インターリーブ部５７、シンボル判定部５８、再変調部５９、遅延部６０、ＳＰ／ＣＰ信号発生部６１、フレーム再構築部６２、バイトデインターリーブ部６３、エネルギー逆拡散部６４、リードソロモン復号部６５、リードソロモン符号化部６６、エネルギー拡散部６７及びバイトインターリーブ部６８を備えている。尚、直交復調部２３から直交変調部３８までの間の信号処理の内、ビットデインターリーブ部４９、デパンクチュア部５０、ビタビ復号部５１、バイトデインターリーブ部６３、エネルギー逆拡散部６４、リードソロモン復号部６５、リードソロモン符号化部６６、エネルギー拡散部６７、バイトインターリーブ部６８、畳み込み符号化部５２、パンクチュア部５３及びビットインターリーブ部５４を除く部分は、全て複素信号処理であるため、ブロック図上は単一の線路で信号経路が描かれているが、実際には実部信号及び虚部信号の両方による信号処理が行われている。
【０１１５】
図９に示した実施例５の混信波抽出装置１−５と、図１０に示す実施例６の混信波抽出装置１−６とを比較すると、両装置１−５，１−６は、図９に示した混信波抽出装置１−５の構成部を備えている点で同一である。これに対し、実施例６の混信波抽出装置１−６は、実施例５の混信波抽出装置１−５の構成に加え、さらにバイトデインターリーブ部６３からバイトインターリーブ部６８までの構成部を備えている点で相違する。図１０において、バイトデインターリーブ部６３からバイトインターリーブ部６８までの構成部は、ビタビ復号部５１の後段、かつ畳み込み符号化部５２の前段に設けられている。図１０において、図９と共通する部分については図９と同一の符号を付し、その詳しい説明は以下省略する。
【０１１６】
混信波抽出装置１−６は、他の地上デジタル放送波の混信の影響を受けている希望波の地上デジタル放送波を受信し、その受信信号をＩＦ信号に変換する。そして、混信波抽出装置１−６は、ＩＦ信号からＡ階層信号をアナログフィルタにより抜き出し、自動周波数制御により等価低域帯のＡ階層の複素ＯＦＤＭ信号の周波数オフセットを除去し、さらに、Ａ階層信号をデジタルフィルタにより厳密に抜き出し、抜き出したＡ階層信号を周波数領域信号に変換し、等化を行った後、全キャリアシンボルの内、ＡＣ及びＴＭＣＣ信号を伝送しているキャリアシンボル、ＳＰ及びＣＰ信号を伝送しているキャリアシンボル、並びにそれ以外のデータ信号を伝送しているキャリアシンボルに分離する。そして、混信波抽出装置１−６は、ＡＣ、ＴＭＣＣ、ＳＰ及びＣＰ信号を伝送しているキャリアシンボル以外のデータ信号を伝送しているキャリアシンボルについて、キャリアシンボル単位で周波数及び時間軸上のデインターリーブを行い、続いてデマッピング、ビットデインターリーブ及びデパンクチュア処理を行い、ビタビ復号により内符号のビット誤り訂正を行った後に、バイトデインターリーブ及びエネルギー逆拡散を行い、その後、外符号であるリードソロモン符号の復号を行ってバイト誤りを訂正する。そして、混信波抽出装置１−６は、復号したデータに対し、リードソロモン符号化、エネルギー拡散、バイトインターリーブを行い、畳み込み符号化、パンクチュア処理、ビットインターリーブ及びシンボル再マッピングを行い、キャリアシンボル単位で時間及び周波数軸上のインターリーブを行う。そして、混信波抽出装置１−６は、インターリーブを施した信号に、別途硬判定及び再マッピングしたＡＣ及びＴＭＣＣ信号と、別途生成した誤りの無いＳＰ及びＣＰ信号とを加え、ＯＦＤＭフレームを再構成し、ＩＦＦＴ及びＧＩ付加処理を行って時間領域信号に変換した後、さらに伝送路特性を付加することで希望波レプリカ信号を新たに生成し、それを混信波が重畳されている原信号（ＩＦ信号）から減算し、減算結果である混信波信号を出力する。
【０１１７】
バイトデインターリーブ部６３は、ビタビ復号後のビット列をバイト列に変換し、バイト単位で既定の規則に従ってバイトデインターリーブを行う。エネルギー逆拡散部６４はバイトデインターリーブ後の信号に対し、既定の規則に従って１５次のＭ系列ＰＮ信号と、ＴＳパケットの同期バイトを除くデータ部分とをビット単位で排他的論理和の演算を行い、エネルギー逆拡散を行う。
【０１１８】
リードソロモン復号部６５は、エネルギー逆拡散後の信号に対し、外符号復号である短縮化リードソロモン符号ＲＳ（２０４，１８８）の復号を行う。リードソロモン符号化部６６は、リードソロモン復号後の信号に対し、外符号符号化である短縮化リードソロモン符号ＲＳ（２０４，１８８）の符号化を行う。
【０１１９】
エネルギー拡散部６７は、リードソロモン符号化後の信号に対し、１５次のＭ系列ＰＮ符号とＴＳパケットの同期バイトを除くデータ部分とをビット単位で排他的論理和の演算を行い、エネルギー拡散を行う。バイトインターリーブ部６８は、エネルギー拡散後の信号に対し、外符号の性能をさらに引き出すために、予め定められた規則に基づくバイト単位のインターリーブを行い、得られたバイト列をビット列に変換して出力する。
【０１２０】
以上のように、実施例６の混信波抽出装置１−６によれば、実施例５の混信波抽出装置１−５と同様にビタビ復号部５１にて内符号のビット誤り訂正を行い、その後に、バイトデインターリーブ及びエネルギー逆拡散を行い、外符号であるリードソロモン符号の復号を行ってバイト誤りを訂正し、リードソロモン符号化、エネルギー拡散及びバイトインターリーブを行うようにした。そして、実施例５の混信波抽出装置１−５と同様に、畳み込み符号化、パンクチュア処理、ビットインターリーブ及びシンボル再マッピングを行い、時間及び周波数軸上でインターリーブを行い、これに、別途硬判定及び再マッピングされたＡＣ及びＴＭＣＣ信号のシンボルと誤りの無いＳＰ及びＣＰ信号のシンボルとを加え、ＯＦＤＭフレームを再構築し、ＩＦＦＴ及びＧＩ付加後にさらに伝送路特性を付加することで希望波レプリカ信号を新たに生成し、それを混信波が重畳されている原信号（ＩＦ信号）から減算し、減算結果である混信波信号のみを抽出するようにした。
【０１２１】
これにより、実施例５の混信波抽出装置１−５と同様の効果を奏する。したがって、実施例５の混信波抽出装置１−５と同様に、希望波レプリカ信号の精度を一層高くすることができ、受信信号から希望波信号を除去して得られる混信波信号の精度も一層高くすることができる。
【０１２２】
尚、実施例１〜６の混信波抽出装置１−１〜１−６では、ＢＰＦ２１がＡ階層信号のみを抜き出し、装置全体としてＡ階層信号に対し信号処理を行うようにした。これに対し、ＢＰＦ２１が、Ａ階層信号及びＢ階層信号を含むＯＦＤＭ信号の全帯域を抜き出し、Ａ／Ｄ変換部２２、直交復調部２３、同期再生部２４、窓処理部２５、遅延部２６、ＦＦＴ部２７、ＳＰ信号抽出部２８、伝送路特性算出部２９、等化部３０、フィルタ係数生成部３１、ＦＩＲフィルタ部３６及びＢＰＦ４３が、ＯＦＤＭ信号の全帯域に対し信号処理を行うようにしてもよい。この場合、実施例１〜４のシンボル判定部３２は、ＯＦＤＭ信号の全帯域のキャリアシンボルのうちのＡ階層信号のキャリアシンボルに対し、硬判定により送信時の信号点を推定することで、希望波のＡ階層信号を抽出し、実施例５，６のデータシンボル分離部４５は、ＯＦＤＭ信号の全帯域の各キャリアシンボルのうち、Ａ階層信号のＡＣ及びＴＭＣＣ信号を伝送しているキャリアシンボル、Ａ階層信号のＳＰ及びＣＰ信号を伝送しているキャリアシンボル、並びにＡ階層信号におけるそれ以外のデータ信号を伝送しているキャリアシンボルを分離する。そして、実施例１〜４の再変調部３３からＧＩ付加部３５までは、前述と同様にＡ階層信号に対し信号処理を行う。また、実施例５，６の周波数デインターリーブ部４６及びシンボル判定部５８からＧＩ付加部３５までは、前述と同様にＡ階層信号に対し信号処理を行う。ＦＩＲフィルタ部３６は、フィルタ係数生成部３１から全帯域のフィルタ係数を入力すると共に、ＧＩ付加部３５から希望波のＡ階層信号を入力し、全帯域についてＦＩＲフィルタ処理を行う。また、実施例３〜６のＢＰＦ４３は、デジタルフィルタ処理により、Ａ階層信号及びＢ階層信号を含むＯＦＤＭ信号の全帯域を抜き出す。
【０１２３】
また、実施例１〜６の混信波抽出装置１−１〜１−６のハードウェア構成としては、通常のコンピュータを使用することができる。混信波抽出装置１−１〜１−６は、ＣＰＵ、ＲＡＭ等の揮発性の記憶媒体、ＲＯＭ等の不揮発性の記憶媒体、及びインターフェース等を備えたコンピュータによって構成される。混信波抽出装置１−１に備えた直交復調部２３、窓処理部２５、遅延部２６、ＦＦＴ部２７、ＳＰ信号抽出部２８、伝送路特性算出部２９、等化部３０、フィルタ係数生成部３１、シンボル判定部３２、再変調部３３、ＩＦＦＴ部３４、ＧＩ付加部３５、ＦＩＲフィルタ部３６、減算部３７及び直交変調部３８の各機能は、これらの機能を記述したプログラムをＣＰＵに実行させることによりそれぞれ実現される。また、混信波抽出装置１−２に備えた直交復調部２３から直交変調部３８までの構成部（混信波抽出装置１−１と同様の構成部）、ＳＰ信号発生部４１及びＳＰ信号付替え部４２の各機能、混信波抽出装置１−３に備えた直交復調部２３からＳＰ信号付替え部４２までの構成部（混信波抽出装置１−２と同様の構成部）及びＢＰＦ４３の各機能、並びに、混信波抽出装置１−４に備えた直交復調部２３からＢＰＦ４３までの構成部（混信波抽出装置１−３と同様の構成部）及びＡＦＣ部４４の各機能も、これらの機能を記述したプログラムをＣＰＵに実行させることによりそれぞれ実現される。さらに、混信波抽出装置１−５に備えた直交復調部２３、同期再生部２４、窓処理部２５、遅延部２６、ＦＦＴ部２７、ＳＰ信号抽出部２８、伝送路特性算出部２９、等化部３０、フィルタ係数生成部３１、ＩＦＦＴ部３４、ＧＩ付加部３５、ＦＩＲフィルタ部３６、減算部３７、直交変調部３８、ＢＰＦ４３、ＡＦＣ部４４、データシンボル分離部４５、周波数デインターリーブ部４６、時間デインターリーブ部４７、デマッピング部４８、ビットデインターリーブ部４９、デパンクチュア部５０、ビタビ復号部５１、畳み込み符号化部５２、パンクチュア部５３、ビットインターリーブ部５４、マッピング部５５、時間インターリーブ部５６、周波数インターリーブ部５７、シンボル判定部５８、再変調部５９、遅延部６０、ＳＰ／ＣＰ信号発生部６１及びフレーム再構築部６２の各機能、並びに、混信波抽出装置１−６に備えた直交復調部２３からフレーム再構築部６２までの構成部（混信波抽出装置１−５と同様の構成部）、バイトデインターリーブ部６３、エネルギー逆拡散部６４、リードソロモン復号部６５、リードソロモン符号化部６６、エネルギー拡散部６７及びバイトインターリーブ部６８の各機能も、これらの機能を記述したプログラムをＣＰＵに実行させることによりそれぞれ実現される。また、これらのプログラムは、磁気ディスク（フロッピー（登録商標）ディスク、ハードディスク等）、光ディスク（ＣＤ−ＲＯＭ、ＤＶＤ等）、半導体メモリ等の記憶媒体に格納して頒布することもできる。
【０１２４】
以上、実施例１〜６を挙げて本発明を説明したが、本発明は前記実施例１〜６に限定されるものではなく、その技術思想を逸脱しない範囲で種々変形可能である。例えば、前記実施例１〜６の混信波抽出装置１−１〜１−６に備えた直交復調部２３は、デジタル信号による直交復調処理を行うようにしたが、アナログ信号による直交復調処理を行うようにしてもよい。また、前記実施例１〜６の混信波抽出装置１−１〜１−６に備えた直交変調部３８は、デジタル信号による直交変調処理を行うようにしたが、アナログ信号による直交変調処理を行うようにしてもよい。この場合、直交復調部２３は、Ａ／Ｄ変換部２２の前段に設けられ、Ａ／Ｄ変換部２２は同相信号用と直交信号用に２つのＡ／Ｄ変換器で構成される。直交変調部３８は、Ｄ／Ａ変換部３９の後段に設けられ、Ｄ／Ａ変換部３９は同相信号用と直交信号用に２つのＤ／Ａ変換器で構成される。
【符号の説明】
【０１２５】
１  混信波抽出装置
１０  希望波抽出部
１１  伝送路特性算出部
１２  伝送路特性付加部
１３  遅延部
１４  希望波キャンセル部
２１  ＢＰＦ
２２  Ａ／Ｄ変換部
２３  直交復調部
２４  同期再生部
２５  窓処理部
２６，６０  遅延部
２７  ＦＦＴ部
２８  ＳＰ信号抽出部
２９  伝送路特性算出部
３０  等化部
３１  フィルタ係数生成部
３２，５８  シンボル判定部
３３，５９  再変調部
３４  ＩＦＦＴ部
３５  ＧＩ付加部
３６  ＦＩＲフィルタ部
３７  減算部
３８  直交変調部
３９  Ｄ／Ａ変換部
４０  ＢＰＦ
４１  ＳＰ信号発生部
４２  ＳＰ信号付替え部
４３  ＢＰＦ
４４  ＡＦＣ部
４５  データシンボル分離部
４６  周波数デインターリーブ部
４７  時間デインターリーブ部
４８  デマッピング部
４９  ビットデインターリーブ部
５０  デパンクチュア部
５１  ビタビ復号部
５２  畳み込み符号化部
５３  パンクチュア部
５４  ビットインターリーブ部
５５  マッピング部
５６  時間インターリーブ部
５７  周波数インターリーブ部
６１  ＳＰ／ＣＰ信号発生部
６２  フレーム再構築部
６３  バイトデインターリーブ部
６４  エネルギー逆拡散部
６５  リードソロモン復号部
６６  リードソロモン符号化部
６７  エネルギー拡散部
６８  バイトインターリーブ部
４４１  位相回転器
４４２  ＮＣＯ制御データ発生器
４４３  ＮＣＯ
４４４  乗算器
４４５  減算器
４４６  加算器
【図１】
0005814070.tif 000002
【図２】
0005814070.tif 000003
【図３】
0005814070.tif 000004
【図４】
0005814070.tif 000005
【図５】
0005814070.tif 000006
【図６】
0005814070.tif 000007
【図７】
0005814070.tif 000008
【図８】
0005814070.tif 000009
【図９】
0005814070.tif 000010
【図１０】
0005814070.tif 000011